(57)【要約】      （修正有）【課題】光学系の小型化と高い変倍比の確保に有利なズームレンズ及びそれを有する撮像装置を提供する。【解決手段】ズームレンズは、物体側から順に、正屈折力の第１レンズ群Ｇ１と、負屈折力の第２レンズ群Ｇ２と、正屈折力の第３レンズ群Ｇ３と、負屈折力の第４レンズ群Ｇ４と、正屈折力の第５レンズ群Ｇ５と、を有し、変倍の際に、第１レンズ群、第２レンズ群、第３レンズ群、第４レンズ群及び第５レンズ群の各々のレンズ群は、各々のレンズ群の間の距離を変化させるように移動し、第１レンズ群と第２レンズ群との間の距離、第３レンズ群と第４レンズ群との間の距離及び第４レンズ群と第５レンズ群との間の距離の各々は、広角端よりも望遠端にて長く、第２レンズ群と第３レンズ群との間の距離は、広角端よりも望遠端にて短く、両ズーム端における第３レンズ群と第５レンズ群との横倍率の比が所定の条件式を満足する。【選択図】図１
2015001550.tif 000002
【特許請求の範囲】
【請求項１】
物体側から像側に順に、
正の屈折力を有する第１レンズ群と、
負の屈折力を有する第２レンズ群と、
正の屈折力を有する第３レンズ群と、
負の屈折力を有する第４レンズ群と、
正の屈折力を有する第５レンズ群と、を有し、
変倍の際に、前記第１レンズ群、前記第２レンズ群、前記第３レンズ群、前記第４レンズ群及び前記第５レンズ群の各々のレンズ群は、各々のレンズ群の間の距離を変化させるように移動し、
前記第１レンズ群と前記第２レンズ群との間の距離、前記第３レンズ群と前記第４レンズ群との間の距離及び前記第４レンズ群と前記第５レンズ群との間の距離の各々は、広角端よりも望遠端にて長く、前記第２レンズ群と前記第３レンズ群との間の距離は、広角端よりも望遠端にて短く、
以下の条件式（１）、（２）、（３）を満足することを特徴とするズームレンズ。
２＜ｍｇ3t／ｍｇ3w＜６      （１）
１．２＜ｍｇ5t／ｍｇ5w＜４      （２）
０．０２＜ｆ5／ｆt＜０．１２      （３）
ただし、
ｍｇ3wは、前記第３レンズ群の広角端での横倍率、
ｍｇ3tは、前記第３レンズ群の望遠端での横倍率、
ｍｇ5wは、前記第５レンズ群の広角端での横倍率、
ｍｇ5tは、前記第５レンズ群の望遠端での横倍率、
ｆ5は、前記第５レンズ群の焦点距離、
ｆtは、望遠端での前記ズームレンズ全系の焦点距離、
である。
【請求項２】
物体側から像側に順に、
正の屈折力を有する第１レンズ群と、
負の屈折力を有する第２レンズ群と、
正の屈折力を有する第３レンズ群と、
負の屈折力を有する第４レンズ群と、
正の屈折力を有する第５レンズ群と、を有し、
変倍の際に、前記第１レンズ群、前記第２レンズ群、前記第３レンズ群、前記第４レンズ群及び前記第５レンズ群の各々のレンズ群は、各々のレンズ群の間の距離を変化させるように移動し、
前記第３レンズ群を光軸と直交する方向に移動させることにより、手ぶれ発生時に、像面上での像ぶれを補正し、
以下の条件式（４）、（５）を満足することを特徴とするズームレンズ。
０．０２＜ｆ3／ｆt＜０．１      （４）
１．５＜（１−ｍｇ3t）×ｍｇ4t×ｍｇ5t＜７．０      （５）
ただし、
ｆ3は、前記第３レンズ群の焦点距離、
ｆtは、望遠端での前記ズームレンズ全系の焦点距離、
ｍｇ3tは、前記第３レンズ群の望遠端での横倍率、
ｍｇ4tは、前記第４レンズ群の望遠端での横倍率、
ｍｇ5tは、前記第５レンズ群の望遠端での横倍率、
である。
【請求項３】
前記第１レンズ群と前記第２レンズ群との間の距離、前記第３レンズ群と前記第４レンズ群との間の距離及び前記第４レンズ群と前記第５レンズ群との間の距離の各々は、広角端よりも望遠端にて長く、前記第２レンズ群と前記第３レンズ群との間の距離は、広角端よりも望遠端にて短いことを特徴とする請求項２に記載のズームレンズ。
【請求項４】
物体側から像側に順に、
正の屈折力を有する第１レンズ群と、
負の屈折力を有する第２レンズ群と、
正の屈折力を有する第３レンズ群と、
負の屈折力を有する第４レンズ群と、
正の屈折力を有する第５レンズ群と、を有し、
変倍の際に、前記第１レンズ群、前記第２レンズ群、前記第３レンズ群、前記第４レンズ群及び前記第５レンズ群の各々のレンズ群は、各々のレンズ群の間の距離を変化させるように移動し、
前記第１レンズ群と前記第２レンズ群との間の距離、前記第３レンズ群と前記第４レンズ群との間の距離及び前記第４レンズ群と前記第５レンズ群との間の距離の各々は、広角端よりも望遠端にて長く、前記第２レンズ群と前記第３レンズ群との間の距離は、広角端よりも望遠端にて短く、
前記第１レンズ群は、以下の条件式（６）、（８）を満足する負レンズと、以下の条件式（７）を満足する正レンズと、を有し、且つ、
前記第１レンズ群は、負レンズと正レンズとを有する接合レンズと、少なくとも１枚の正レンズと、を有し、
以下の条件式（９）を満足することを特徴とするズームレンズ。
νｄ1n＜５０      （６）
８０＜νｄ1p      （７）
θｇＦ1n＜−０．００２６６νｄ1n＋０．６８１０７      （８）
−０．１５＜ｆ1／ｆ1c＜０．１５      （９）
ただし、
νｄ1nは、前記第１レンズ群中の少なくとも１枚の負レンズのｄ線に対するアッベ数、
νｄ1pは、前記第１レンズ群中の少なくとも１枚の正レンズのｄ線に対するアッベ数、
θｇＦ1nは、前記第１レンズ群中の少なくとも１枚の負レンズのｇ線とＦ線に対する部分分散比、
ｆ1は、前記第１レンズ群の焦点距離、
ｆ1cは、前記第１レンズ群中の前記接合レンズの焦点距離、であり、
前記アッベ数νｄ1nは、νｄ1n＝（ｎｄ1n−１）／（ｎＦ1n−ｎＣ1n）で表され、
前記アッベ数νｄ1pは、νｄ1p＝（ｎｄ1p−１）／（ｎＦ1p−ｎＣ1p）で表され、
前記部分分散比θｇＦ1nは、θｇＦ1n＝（ｎｇ1n−ｎＦ1n）／（ｎＦ1n−ｎＣ1n）で表され、
ｎｄ1n、ｎｇ1n、ｎＦ1n及びｎＣ1nは、それぞれ、ｄ線、ｇ線、Ｆ線及びＣ線における前記第１レンズ群中の少なくとも１枚の負レンズの屈折率、
ｎｄ1p、ｎｇ1p、ｎＦ1p及びｎＣ1pは、それぞれ、ｄ線、ｇ線、Ｆ線及びＣ線における前記第１レンズ群中の少なくとも１枚の正レンズの屈折率、
である。
【請求項５】
以下の条件式（４）を満足することを特徴とする請求項１から４のいずれか一項に記載のズームレンズ。
０．０２＜ｆ3／ｆt＜０．１      （４）
ただし、
ｆ3は、前記第３レンズ群の焦点距離、
ｆtは、望遠端での前記ズームレンズ全系の焦点距離、
である。
【請求項６】
前記第３レンズ群を光軸と直交する方向に移動させることにより、手ぶれ発生時に、像面上での像ぶれを補正することを特徴とする請求項１から５のいずれか一項に記載のズームレンズ。
【請求項７】
以下の条件式（５）を満足することを特徴とする請求項１から６のいずれか一項に記載のズームレンズ。
１．５＜（１−ｍｇ3t）×ｍｇ4t×ｍｇ5t＜７．０      （５）
ただし、
ｍｇ3tは、前記第３レンズ群の望遠端での横倍率、
ｍｇ4tは、前記第４レンズ群の望遠端での横倍率、
ｍｇ5tは、前記第５レンズ群の望遠端での横倍率、
である。
【請求項８】
前記第１レンズ群は、以下の条件式（６）を満足する負レンズと、以下の条件式（７）を満足する正レンズと、を有することを特徴とする請求項１から７のいずれか一項に記載のズームレンズ。
νｄ1n＜５０      （６）
８０＜νｄ1p      （７）
ただし、
νｄ1nは、前記第１レンズ群中の少なくとも１枚の負レンズのｄ線に対するアッベ数、
νｄ1pは、前記第１レンズ群中の少なくとも１枚の正レンズのｄ線に対するアッベ数、
前記アッベ数νｄ1nは、νｄ1n＝（ｎｄ1n−１）／（ｎＦ1n−ｎＣ1n）で表され、
前記アッベ数νｄ1pは、νｄ1p＝（ｎｄ1p−１）／（ｎＦ1p−ｎＣ1p）で表され、
ｎｄ1n、ｎｇ1n、ｎＦ1n及びｎＣ1nは、それぞれ、ｄ線、ｇ線、Ｆ線及びＣ線における前記第１レンズ群中の少なくとも１枚の負レンズの屈折率、
ｎｄ1p、ｎｇ1p、ｎＦ1p及びｎＣ1pは、それぞれ、ｄ線、ｇ線、Ｆ線及びＣ線における前記第１レンズ群中の少なくとも１枚の正レンズの屈折率、
である。
【請求項９】
条件式（６）を満足する前記負レンズは、以下の条件式（８）を満足することを特徴とする請求項８に記載のズームレンズ。
θｇＦ1n＜−０．００２６６νｄ1n＋０．６８１０７      （８）
ただし、
νｄ1nは、前記第１レンズ群中の少なくとも１枚の負レンズのｄ線に対するアッベ数、
θｇＦ1nは、前記第１レンズ群中の少なくとも１枚の負レンズのｇ線とＦ線に対する部分分散比、
前記アッベ数νｄ1nは、νｄ1n＝（ｎｄ1n−１）／（ｎＦ1n−ｎＣ1n）で表され、
前記部分分散比θｇＦ1nは、θｇＦ1n＝（ｎｇ1n−ｎＦ1n）／（ｎＦ1n−ｎＣ1n）で表され、
ｎｄ1n、ｎｇ1n、ｎＦ1n及びｎＣ1nは、それぞれ、ｄ線、ｇ線、Ｆ線及びＣ線における前記第１レンズ群中の少なくとも１枚の負レンズの屈折率、
である。
【請求項１０】
前記第１レンズ群は、負レンズと正レンズとを有する接合レンズと、少なくとも１枚の正レンズと、を有することを特徴とする請求項１から９のいずれか一項に記載のズームレンズ。
【請求項１１】
以下の条件式（９）を満足することを特徴とする請求項１０に記載のズームレンズ。
−０．１５＜ｆ1／ｆ1c＜０．１５      （９）
ただし、
ｆ1は、前記第１レンズ群の焦点距離、
ｆ1cは、前記第１レンズ群中の前記接合レンズの焦点距離、
である。
【請求項１２】
前記第１レンズ群と前記第３レンズ群は、広角端よりも望遠端にて物体側に位置し、
前記第５レンズ群は、広角端よりも望遠端にて像側に位置することを特徴とする請求項１から１１のいずれか一項に記載のズームレンズ。
【請求項１３】
前記第２レンズ群は、広角端よりも望遠端にて像側に位置することを特徴とする請求項１２に記載のズームレンズ。
【請求項１４】
以下の条件式（１０）を満足することを特徴とする請求項１から１３のいずれか一項に記載のズームレンズ。
０．２＜ｆ1／ｆt＜０．５      （１０）
ただし、
ｆ1は、前記第１レンズ群の焦点距離、
ｆtは、望遠端での前記ズームレンズ全系の焦点距離、
である。
【請求項１５】
無限遠物点から近距離物点へのフォーカシングの際に、前記第４レンズ群が像側に移動することを特徴とする請求項１から１４のいずれか一項に記載のズームレンズ。
【請求項１６】
広角端にて、半画角が３０°以上の光線が前記ズームレンズ中を通過可能であり、
以下の条件式（１１）を満足することを特徴とする請求項１から１５のいずれか一項に載のズームレンズ。
４０＜ｆt／ｆw＜１５０      （１１）
ただし、
ｆtは、望遠端での前記ズームレンズ全系の焦点距離、
ｆwは、広角端での前記ズームレンズ全系の焦点距離、
である。
【請求項１７】
ズームレンズと、
撮像面を持ち且つ前記ズームレンズにより前記撮像面上に形成された像を電気信号に変換する撮像素子と、を有し、
前記ズームレンズが請求項１から１６のいずれか一項に記載のズームレンズであることを特徴とする撮像装置。
【請求項１８】
画像変換部を有し、
前記画像変換部における画像処理により、前記ズームレンズによる歪曲収差を含んだ前記電気信号を、前記歪曲収差を補正した画像信号に変換することを特徴とする請求項１７に記載の撮像装置。
【発明の詳細な説明】
【技術分野】
【０００１】
本発明は、ズームレンズ及びそれを有する撮像装置に関する。
【背景技術】
【０００２】
近年、ビデオカメラやデジタルカメラにおいては、ズームレンズの小型化や薄型化が進んでいる。また、撮影用途の広がりに伴い、ズームレンズには、小型化や薄型化の要求を満たすことに加え、広画角化や高変倍比化が求められている。
【０００３】
このような要求に応えるズームレンズが、特許文献１、２に開示されている。特許文献１、２のズームレンズは、５つ以上のレンズ群を持つタイプのズームレンズである。ここで、各レンズ群の屈折力は、物体側から順に、正屈折力、負屈折力、正屈折力、負屈折力及び正屈折力となっている。
【０００４】
特許文献１の実施例１に開示されたズームレンズでは、望遠端での望遠比（望遠端の焦点距離に対するレンズ全長の比率）が０．８７程度で、変倍比が３４程度となっている。また、特許文献２の実施例１や実施例５に開示されたズームレンズでは、望遠端での望遠比が１．０５程度で、変倍比が４１程度となっている。
【先行技術文献】
【特許文献】
【０００５】
【特許文献１】特開２０１１−７５９８５号公報
【特許文献２】特開２０１２−９８６９９号公報
【発明の概要】
【発明が解決しようとする課題】
【０００６】
ズームレンズに対する要求として、小型化や高変倍比化があるが、これらを両立する為には更なる工夫が求められる。また、高変倍比化に伴って、手ぶれの影響を抑制することが求められる。また、高変倍比化しても光学性能を良好に維持する工夫が求められる。なお、良好な光学性能とは、例えば、諸収差の発生が十分に抑制されていることをいう。
【０００７】
本発明は、このような課題に鑑みてなされたものであって、第１の側面の発明は、諸収差が良好に補正され、光学系の小型化と高い変倍比の確保に有利なズームレンズ及びそれを有する撮像装置の提供を目的とする。
また、第２の側面の発明は、諸収差が良好に補正され、光学系の小型化と高い変倍比の確保に有利で、且つ、望遠側で生じやすい手ぶれの影響を抑えやすいズームレンズ及びそれを有する撮像装置の提供を目的とする。
また、第３の側面の発明は、光学系の小型化と高い変倍比の確保に有利で、且つ、望遠側で生じやすい色収差の発生を抑えやすいズームレンズ及びそれを有する撮像装置の提供を目的とする。
【課題を解決するための手段】
【０００８】
上述した課題を解決し、目的を達成するために、第１の側面の発明のズームレンズは、
物体側から像側に順に、
正の屈折力を有する第１レンズ群と、
負の屈折力を有する第２レンズ群と、
正の屈折力を有する第３レンズ群と、
負の屈折力を有する第４レンズ群と、
正の屈折力を有する第５レンズ群と、を有し、
変倍の際に、第１レンズ群、第２レンズ群、第３レンズ群、第４レンズ群及び第５レンズ群の各々のレンズ群は、各々のレンズ群の間の距離を変化させるように移動し、
第１レンズ群と第２レンズ群との間の距離、第３レンズ群と第４レンズ群との間の距離及び第４レンズ群と第５レンズ群との間の距離の各々は、広角端よりも望遠端にて長く、第２レンズ群と第３レンズ群との間の距離は、広角端よりも望遠端にて短く、
以下の条件式（１）、（２）、（３）を満足することを特徴とする。
２＜ｍｇ3t／ｍｇ3w＜６      （１）
１．２＜ｍｇ5t／ｍｇ5w＜４      （２）
０．０２＜ｆ5／ｆt＜０．１２      （３）
ただし、
ｍｇ3wは、第３レンズ群の広角端での横倍率、
ｍｇ3tは、第３レンズ群の望遠端での横倍率、
ｍｇ5wは、第５レンズ群の広角端での横倍率、
ｍｇ5tは、第５レンズ群の望遠端での横倍率、
ｆ5は、第５レンズ群の焦点距離、
ｆtは、望遠端でのズームレンズ全系の焦点距離、
である。
【０００９】
また、第２の側面の発明のズームレンズは、
物体側から像側に順に、
正の屈折力を有する第１レンズ群と、
負の屈折力を有する第２レンズ群と、
正の屈折力を有する第３レンズ群と、
負の屈折力を有する第４レンズ群と、
正の屈折力を有する第５レンズ群と、を有し、
変倍の際に、第１レンズ群、第２レンズ群、第３レンズ群、第４レンズ群及び第５レンズ群の各々のレンズ群は、各々のレンズ群の間の距離を変化させるように移動し、
第３レンズ群を光軸と直交する方向に移動させることにより、手ぶれ発生時に、像面上での像ぶれを補正し、
以下の条件式（４）、（５）を満足することを特徴とする。
０．０２＜ｆ3／ｆt＜０．１      （４）
１．５＜（１−ｍｇ3t）×ｍｇ4t×ｍｇ5t＜７．０      （５）
ただし、
ｆ3は、第３レンズ群の焦点距離、
ｆtは、望遠端でのズームレンズ全系の焦点距離、
ｍｇ3tは、第３レンズ群の望遠端での横倍率、
ｍｇ4tは、第４レンズ群の望遠端での横倍率、
ｍｇ5tは、第５レンズ群の望遠端での横倍率、
である。
【００１０】
また、第３の側面の発明のズームレンズは、
物体側から像側に順に、
正の屈折力を有する第１レンズ群と、
負の屈折力を有する第２レンズ群と、
正の屈折力を有する第３レンズ群と、
負の屈折力を有する第４レンズ群と、
正の屈折力を有する第５レンズ群と、を有し、
変倍の際に、第１レンズ群、第２レンズ群、第３レンズ群、第４レンズ群及び第５レンズ群の各々のレンズ群は、各々のレンズ群の間の距離を変化させるように移動し、
第１レンズ群と第２レンズ群との間の距離、第３レンズ群と第４レンズ群との間の距離及び第４レンズ群と第５レンズ群との間の距離の各々は、広角端よりも望遠端にて長く、第２レンズ群と第３レンズ群との間の距離は、広角端よりも望遠端にて短く、
第１レンズ群は、以下の条件式（６）、（８）を満足する負レンズと、以下の条件式（７）を満足する正レンズと、を有し、且つ、
第１レンズ群は、負レンズと正レンズとを有する接合レンズと、少なくとも１枚の正レンズと、を有し、
以下の条件式（９）を満足することを特徴とする。
νｄ1n＜５０      （６）
８０＜νｄ1p      （７）
θｇＦ1n＜−０．００２６６νｄ1n＋０．６８１０７      （８）
−０．１５＜ｆ1／ｆ1c＜０．１５      （９）
ただし、
νｄ1nは、第１レンズ群中の少なくとも１枚の負レンズのｄ線に対するアッベ数、
νｄ1pは、第１レンズ群中の少なくとも１枚の正レンズのｄ線に対するアッベ数、
θｇＦ1nは、前記第１レンズ群中の少なくとも１枚の負レンズのｇ線とＦ線に対する部分分散比、
ｆ1は、第１レンズ群の焦点距離、
ｆ1cは、第１レンズ群中の接合レンズの焦点距離、であり、
アッベ数νｄ1nは、νｄ1n＝（ｎｄ1n−１）／（ｎＦ1n−ｎＣ1n）で表され、
アッベ数νｄ1pは、νｄ1p＝（ｎｄ1p−１）／（ｎＦ1p−ｎＣ1p）で表され、
部分分散比θｇＦ1nは、θｇＦ1n＝（ｎｇ1n−ｎＦ1n）／（ｎＦ1n−ｎＣ1n）で表され、
ｎｄ1n、ｎｇ1n、ｎＦ1n及びｎＣ1nは、それぞれ、ｄ線、ｇ線、Ｆ線及びＣ線における第１レンズ群中の少なくとも１枚の負レンズの屈折率、
ｎｄ1p、ｎｇ1p、ｎＦ1p及びｎＣ1pは、それぞれ、ｄ線、ｇ線、Ｆ線及びＣ線における第１レンズ群中の少なくとも１枚の正レンズの屈折率、
である。
【００１１】
また、本発明の撮像装置は、
ズームレンズと、
撮像面を持ち且つズームレンズにより撮像面上に形成された像を電気信号に変換する撮像素子と、を有し、
ズームレンズが、上述のズームレンズのいずれかであることを特徴とする。
【発明の効果】
【００１２】
第１の側面の発明によれば、諸収差が良好に補正され、光学系の小型化と高い変倍比の確保に有利なズームレンズ及びそれを有する撮像装置を提供できる。また、第２の側面の発明によれば、光学系の小型化と高い変倍比の確保に有利で、且つ、望遠側で生じやすい手ぶれの影響を抑えやすいズームレンズ及びそれを有する撮像装置を提供できる。また、第３の側面の発明によれば、光学系の小型化と高い変倍比の確保に有利で、且つ、望遠側で生じやすい色収差の発生を抑えやすいズームレンズ及びそれを有する撮像装置を提供できる。
【図面の簡単な説明】
【００１３】
【図１】本発明のズームレンズの実施例１の無限遠物点合焦時の広角端（ａ）、中間焦点距離状態２（ｂ）、望遠端（ｃ）でのレンズ断面図である。
【図２】本発明のズームレンズの実施例２の無限遠物点合焦時の広角端（ａ）、中間焦点距離状態２（ｂ）、望遠端（ｃ）でのレンズ断面図である。
【図３】本発明のズームレンズの実施例３の無限遠物点合焦時の広角端（ａ）、中間焦点距離状態２（ｂ）、望遠端（ｃ）でのレンズ断面図である。
【図４】本発明のズームレンズの実施例４の無限遠物点合焦時の広角端（ａ）、中間焦点距離状態２（ｂ）、望遠端（ｃ）でのレンズ断面図である。
【図５】本発明のズームレンズの実施例５の無限遠物点合焦時の広角端（ａ）、中間焦点距離状態２（ｂ）、望遠端（ｃ）でのレンズ断面図である。
【図６】本発明のズームレンズの実施例６の無限遠物点合焦時の広角端（ａ）、中間焦点距離状態２（ｂ）、望遠端（ｃ）でのレンズ断面図である。
【図７】実施例１の無限遠物点合焦時の収差図である。
【図８】実施例２の無限遠物点合焦時の収差図である。
【図９】実施例３の無限遠物点合焦時の収差図である。
【図１０】実施例４の無限遠物点合焦時の収差図である。
【図１１】実施例５の無限遠物点合焦時の収差図である。
【図１２】実施例６の無限遠物点合焦時の収差図である。
【図１３】本発明の撮像装置の断面図である。
【図１４】撮像装置の概観を示す前方斜視図である。
【図１５】撮像装置の後方斜視図である。
【図１６】撮像装置の主要部の内部回路の構成ブロック図である。
【発明を実施するための形態】
【００１４】
以下に、本発明にかかるズームレンズ及びそれを有する撮像装置の実施形態及び実施例を、図面に基づいて詳細に説明する。なお、この実施形態及び実施例によりこの発明が限定されるものではない。
【００１５】
本実施形態のズームレンズは、例えば、ビデオカメラやデジタルカメラ等に用いられるズームレンズであって、小型で、広画角で、しかも変倍比が高いズームレンズとなっている。
【００１６】
本実施形態のズームレンズの構成について説明する。まず、基本構成について説明する。
【００１７】
本実施形態のズームレンズの基本構成では、ズームレンズは、物体側から像側に順に、正の屈折力を有する第１レンズ群と、負の屈折力を有する第２レンズ群と、正の屈折力を有する第３レンズ群と、負の屈折力を有する第４レンズ群と、正の屈折力を有する第５レンズ群と、を有し、変倍の際に、第１レンズ群、第２レンズ群、第３レンズ群、第４レンズ群及び第５レンズ群の各々のレンズ群は、各々のレンズ群の間の距離を変化させるように移動する。
【００１８】
基本構成では、正の屈折力を有するレンズ群を、最も物体側に配置している。このような配置のズームレンズは、正先行タイプのズームレンズと呼ばれる。基本構成では、正先行タイプの構成を採用することで、変倍比が高いズームレンズとしての好ましいレンズ群の配置を実現している。
【００１９】
また、基本構成では、第４レンズ群の屈折力を負屈折力とし、第５レンズ群の屈折力を正屈折力としている。これにより、第４レンズ群にて軸外主光線を光軸から離れる方向に屈折させた後、第５レンズ群に入射させている。このようにすることで、第１レンズ群から第４レンズ群までの各レンズ群のサイズ（径）を小さくしている。加えて、正の屈折力を有する第５レンズ群にて、射出瞳の位置を像面から遠ざけている。
【００２０】
また、屈折力配置が全体的に対称となるように光学系を構成することで、良好な光学性能の確保に寄与している。
【００２１】
また、変倍時に第１レンズ群から第５レンズ群までの各レンズ群が移動することで、光学系の最適化、より具体的には、高い変倍比の確保とズームレンズの全長の短縮化に寄与している。
【００２２】
次に、好ましい構成や好ましい条件式について説明する。
【００２３】
本実施形態のズームレンズでは、第１レンズ群と第２レンズ群との間の距離、第３レンズ群と第４レンズ群との間の距離及び第４レンズ群と第５レンズ群との間の距離の各々は、広角端よりも望遠端にて長く、第２レンズ群と第３レンズ群との間の距離は、広角端よりも望遠端にて短いことが好ましい。
【００２４】
このように、本実施形態のズームレンズでは、主な変倍を、第１レンズ群と第２レンズ群との間の間隔変化と、第２レンズ群と第３レンズ群との間の間隔変化にて行っている。
【００２５】
また、第３レンズ群を移動させることで、第３レンズ群での増倍機能を高められると共に、望遠端における入射瞳が第１レンズ群の入射面から離れすぎないように調整できる。このように、第３レンズ群の移動は、ズームレンズ全体の小径化にも寄与している。
【００２６】
また、第４レンズ群と第５レンズ群の移動は、ズームレンズの全長の増大を抑えた際の像面位置の調整と、高い変倍比の確保にも寄与している。
【００２７】
また、本実施形態のズームレンズでは、第３レンズ群を光軸と直交する方向に移動させることにより、手ぶれ発生時に、像面上での像ぶれを補正することが好ましい。
【００２８】
ズームレンズを高変倍比化することで、望遠端でのズームレンズ全系の焦点距離が長くなる。そのため、特に望遠端での撮影では、手ぶれによって像面上で像がぶれてしまうことがある。そこで、手ぶれ発生時に、像面上での像ぶれを補正することが好ましい。
【００２９】
第３レンズ群は径の小型化に有利なレンズ群である。そこで、本実施形態のズームレンズでは、この第３レンズ群を像ぶれ補正のために移動させている。これにより、望遠端での撮影においても、像ぶれのない撮影が行える。
【００３０】
また、本実施形態のズームレンズでは、第１レンズ群は、負レンズと正レンズとを有する接合レンズと、少なくとも１枚の正レンズと、を有することが好ましい。
【００３１】
このようにすることで、変倍比を高くしたときの望遠端での球面収差や色収差の低減に寄与している。
【００３２】
また、本実施形態のズームレンズでは、以下の条件式（１）、（２）、（３）を満足することが好ましい。
２＜ｍｇ3t／ｍｇ3w＜６      （１）
１．２＜ｍｇ5t／ｍｇ5w＜４      （２）
０．０２＜ｆ5／ｆt＜０．１２      （３）
ただし、
ｍｇ3wは、第３レンズ群の広角端での横倍率、
ｍｇ3tは、第３レンズ群の望遠端での横倍率、
ｍｇ5wは、第５レンズ群の広角端での横倍率、
ｍｇ5tは、第５レンズ群の望遠端での横倍率、
ｆ5は、第５レンズ群の焦点距離、
ｆtは、望遠端でのズームレンズ全系の焦点距離、
である。
【００３３】
第３レンズ群の変倍比を条件式（１）の範囲内とし、第５レンズ群の変倍比を条件式（２）の範囲内とすることで、ズームレンズの小型化と良好な光学性能の実現の両方に寄与している。
【００３４】
条件式（１）の下限値を下回らないようにすることで、第３レンズ群の変倍への寄与の割合を高め、第２レンズ群の変倍負担を低減している。これにより、第２レンズ群の負屈折力を小さくし、変倍時の非点収差の変動を抑えている。このようにすることで、ズームレンズの小型化と変倍全域での光学性能の向上に寄与している。
【００３５】
条件式（１）の上限値を上回らないようにすることで、第３レンズ群の変倍への寄与の割合が過剰になることを抑え、これにより、第３レンズ群で発生する非点収差を低減させている。
【００３６】
条件式（２）の下限値を下回らないようにすることで、第５レンズ群の変倍への寄与の割合を高め、変倍時の第５レンズ群の移動量を少なくしている。このようにすることで、高い変倍比の確保とズームレンズ全体の小型化の両立に寄与している。
【００３７】
条件式（２）の上限値を上回らないようにすることで、第５レンズ群の変倍への寄与の割合が過剰になることを抑え、これにより、第５レンズ群で発生する非点収差を低減させている。
【００３８】
第５レンズ群の焦点距離を条件式（３）の範囲内とすることで、ズームレンズの小型化と高変倍比化の両立に一層寄与している。
【００３９】
条件式（３）の下限値を下回らないようにすることで、第５レンズ群の屈折力の過剰を抑え、これにより、第５レンズ群で発生する収差を低減している。そして、第５レンズ群で発生する収差を低減することで、変倍時の収差の変動を低減している。
【００４０】
条件式（３）の上限値を上回らないようにすることで、第５レンズ群の屈折力を大きくし、これにより、ズームレンズの全長の短縮化に寄与している。また、条件式（３）の上限値を上回らないようにして射出瞳を像面から遠ざけることで、電子撮像素子を使用した際の周辺画像の劣化の低減に寄与している。例えば、像の中心領域の光量と周辺領域の光量とのばらつきを改善できる。
【００４１】
また、本実施形態のズームレンズでは、以下の条件式（４）を満足することが好ましい。
０．０２＜ｆ3／ｆt＜０．１      （４）
ただし、
ｆ3は、第３レンズ群の焦点距離、
ｆtは、望遠端でのズームレンズ全系の焦点距離、
である。
【００４２】
条件式（４）の下限値を下回らないようにすることで、第３レンズ群の屈折力の過剰を抑え、これにより、望遠端での球面収差を低減させている。また、このようにすることで、製造誤差による光学性能への影響も低減できる。
【００４３】
条件式（４）の上限値を上回らないようにすることで、第３レンズ群の屈折力を大きくし、これにより、望遠端におけるズームレンズの全長の短縮化と径の小型化に寄与している。また、このようにすることで、第３レンズ群を手ぶれ補正のために移動するレンズ群とした際にも、第３レンズ群の小型化と移動量の最適化に有利となる。
【００４４】
また、本実施形態のズームレンズでは、以下の条件式（５）を満足することが好ましい。
１．５＜（１−ｍｇ3t）×ｍｇ4t×ｍｇ5t＜７．０      （５）
ただし、
ｍｇ3tは、第３レンズ群の望遠端での横倍率、
ｍｇ4tは、第４レンズ群の望遠端での横倍率、
ｍｇ5tは、第５レンズ群の望遠端での横倍率、
である。
【００４５】
像ぶれ補正では、アクチュエーターなどで第３レンズ群を光軸と垂直な方向に移動させる。第３レンズ群の望遠端での横倍率、第４レンズ群の望遠端での横倍率及び第５レンズの望遠端での横倍率が条件式（５）を満足することで、像ぶれ補正時の第３レンズ群の移動量を低減し、これにより、像ぶれ補正を行うための機構を小型化している。
【００４６】
条件式（５）の下限値を下回らないようにすることで、像ぶれ補正時の第３レンズ群の移動量を低減し、これにより、像ぶれ補正を行うための機構の小型化に寄与している。
【００４７】
条件式（５）の上限値を上回らないようにして、第３レンズ群の移動量に対する像ぶれ補正量が大きくなり過ぎないようにする。これにより、アクチュエーターの制御を容易にしている。
【００４８】
また、本実施形態のズームレンズでは、第１レンズ群は、以下の条件式（６）を満足する負レンズと、以下の条件式（７）を満足する正レンズと、を有することが好ましい。
νｄ1n＜５０      （６）
８０＜νｄ1p      （７）
ただし、
νｄ1nは、第１レンズ群中の少なくとも１枚の負レンズのｄ線に対するアッベ数、
νｄ1pは、第１レンズ群中の少なくとも１枚の正レンズのｄ線に対するアッベ数、
アッベ数νｄ1nは、νｄ1n＝（ｎｄ1n−１）／（ｎＦ1n−ｎＣ1n）で表され、
アッベ数νｄ1pは、νｄ1p＝（ｎｄ1p−１）／（ｎＦ1p−ｎＣ1p）で表され、
ｎｄ1n、ｎｇ1n、ｎＦ1n及びｎＣ1nは、それぞれ、ｄ線、ｇ線、Ｆ線及びＣ線における第１レンズ群中の少なくとも１枚の負レンズの屈折率、
ｎｄ1p、ｎｇ1p、ｎＦ1p及びｎＣ1pは、それぞれ、ｄ線、ｇ線、Ｆ線及びＣ線における第１レンズ群中の少なくとも１枚の正レンズの屈折率、
である。
【００４９】
条件式（６）、（７）を満足することで、ズームレンズの小型化や高変倍比化に伴って発生しやすい色収差の補正を行っている。
【００５０】
ズームレンズを高変倍比化することで、望遠端でのズームレンズ全系の焦点距離が長くなる。これに伴って、第１レンズ群で発生する１次の色収差（軸上色収差や倍率色収差）が大きくなりやすい。そこで、１次の色収差の補正のために、少なくとも１枚の負レンズに条件式（６）に含まれる高分散の材料を用い、少なくとも１枚の正レンズに条件式（７）に含まれる低分散の材料を用いている。
【００５１】
条件式（６）の上限値を上回らないようにすることで、この負レンズで発生する１次の色収差により、第１レンズ群の１次の色収差を低減している。また、条件式（７）の下限値を下回らないようにすることで、この正レンズにおける１次の色収差の発生を抑えている。
【００５２】
また、本実施形態のズームレンズでは、条件式（６）を満足する負レンズは、以下の条件式（８）を満足することが好ましい。
θｇＦ1n＜−０．００２６６νｄ1n＋０．６８１０７      （８）
ただし、
νｄ1nは、第１レンズ群中の少なくとも１枚の負レンズのｄ線に対するアッベ数、
θｇＦ1nは、第１レンズ群中の少なくとも１枚の負レンズのｇ線とＦ線に対する部分分散比、
アッベ数νｄ1nは、νｄ1n＝（ｎｄ1n−１）／（ｎＦ1n−ｎＣ1n）で表され、
部分分散比θｇＦ1nは、θｇＦ1n＝（ｎｇ1n−ｎＦ1n）／（ｎＦ1n−ｎＣ1n）で表され、
ｎｄ1n、ｎｇ1n、ｎＦ1n及びｎＣ1nは、それぞれ、ｄ線、ｇ線、Ｆ線及びＣ線における第１レンズ群中の少なくとも１枚の負レンズの屈折率、
である。
【００５３】
２次の色スペクトルの補正のために、条件式（６）を満足する負レンズに条件式（８）で規定する部分分散比の材料を用いている。
【００５４】
望遠端でのズームレンズ全系の焦点距離が長くなると、上述のように、第１レンズ群では、１次の色収差の発生量が大きくなりやすいが、それに加えて、２次の色スペクトル（残存する色収差）の発生量も大きくなりやすい。そこで、条件式（６）と条件式（８）を満足する材料、すなわち、異常分散性がある程度大きい材料を負レンズに用いることで、色収差、特に２次の色スペクトルの補正に寄与している。このような構成とすることで、第１レンズ群の屈折力を高めても色収差の低減が図れる。これにより、光学系の高変倍比化と小型化の両立に寄与している。
【００５５】
また、本実施形態のズームレンズでは、以下の条件式（９）を満足することが好ましい。
−０．１５＜ｆ1／ｆ1c＜０．１５      （９）
ただし、
ｆ1は、第１レンズ群の焦点距離、
ｆ1cは、第１レンズ群中の接合レンズの焦点距離、
である。
【００５６】
条件式（９）の下限値を下回らないようにして、第１レンズ群中の接合レンズの負の屈折力が大きくならないようにする。あるいは、条件式（９）の上限値を上回らないようにして、接合レンズの正の屈折力が大きくならないようにする。このようにすることで、第１レンズ群の球面収差を低減し、望遠端での結像性能の向上に寄与している。
【００５７】
以上、基本構成、好ましい構成と好ましい条件式について説明したが、基本構成に、好ましい構成や好ましい条件式を適宜組み合わせることで、より具体的に本実施形態のズームレンズを構成することができる。より具体的な本実施形態のズームレンズは、以下のとおりである。なお、各構成や各条件式の技術的意義については既に説明したので、以下では説明を省略する。
【００５８】
第１実施形態のズームレンズは、上述の基本構成を備えると共に、第１レンズ群と第２レンズ群との間の距離、第３レンズ群と第４レンズ群との間の距離及び第４レンズ群と第５レンズ群との間の距離の各々は、広角端よりも望遠端にて長く、第２レンズ群と第３レンズ群との間の距離は、広角端よりも望遠端にて短く、以下の条件式（１）、（２）、（３）を満足することを特徴とする。
２＜ｍｇ3t／ｍｇ3w＜６      （１）
１．２＜ｍｇ5t／ｍｇ5w＜４      （２）
０．０２＜ｆ5／ｆt＜０．１２      （３）
ただし、
ｍｇ3wは、第３レンズ群の広角端での横倍率、
ｍｇ3tは、第３レンズ群の望遠端での横倍率、
ｍｇ5wは、第５レンズ群の広角端での横倍率、
ｍｇ5tは、第５レンズ群の望遠端での横倍率、
ｆ5は、第５レンズ群の焦点距離、
ｆtは、望遠端でのズームレンズ全系の焦点距離、
である。
【００５９】
第１実施形態のズームレンズによれば、諸収差が良好に補正され、光学系の小型化と高い変倍比の確保に有利なズームレンズを提供できる。
【００６０】
第２実施形態のズームレンズは、上述の基本構成を備えると共に、第３レンズ群を光軸と直交する方向に移動させることにより、手ぶれ発生時に、像面上での像ぶれを補正し、以下の条件式（４）、（５）を満足することを特徴とする。
０．０２＜ｆ3／ｆt＜０．１      （４）
１．５＜（１−ｍｇ3t）×ｍｇ4t×ｍｇ5t＜７．０      （５）
ただし、
ｆ3は、第３レンズ群の焦点距離、
ｆtは、望遠端でのズームレンズ全系の焦点距離、
ｍｇ3tは、第３レンズ群の望遠端での横倍率、
ｍｇ4tは、第４レンズ群の望遠端での横倍率、
ｍｇ5tは、第５レンズ群の望遠端での横倍率、
である。
【００６１】
第２実施形態のズームレンズによれば、諸収差が良好に補正され、光学系の小型化と高い変倍比の確保に有利で、且つ、望遠側で生じやすい手ぶれの影響を抑えやすいズームレンズを提供できる。
【００６２】
ここで、第２実施形態のズームレンズでは、第１レンズ群と第２レンズ群との間の距離、第３レンズ群と第４レンズ群との間の距離及び第４レンズ群と第５レンズ群との間の距離の各々は、広角端よりも望遠端にて長く、第２レンズ群と第３レンズ群との間の距離は、広角端よりも望遠端にて短いことが好ましい。
【００６３】
第３実施形態のズームレンズは、上述の基本構成を備えると共に、第１レンズ群と第２レンズ群との間の距離、第３レンズ群と第４レンズ群との間の距離及び第４レンズ群と第５レンズ群との間の距離の各々は、広角端よりも望遠端にて長く、第２レンズ群と第３レンズ群との間の距離は、広角端よりも望遠端にて短く、第１レンズ群は、以下の条件式（６）、（８）を満足する負レンズと、以下の条件式（７）を満足する正レンズと、を有し、且つ、第１レンズ群は、負レンズと正レンズとを有する接合レンズと、少なくとも１枚の正レンズと、を有し、以下の条件式（９）を満足することを特徴とする。
νｄ1n＜５０      （６）
８０＜νｄ1p      （７）
θｇＦ1n＜−０．００２６６νｄ1n＋０．６８１０７      （８）
−０．１５＜ｆ1／ｆ1c＜０．１５      （９）
ただし、
νｄ1nは、第１レンズ群中の少なくとも１枚の負レンズのｄ線に対するアッベ数、
νｄ1pは、第１レンズ群中の少なくとも１枚の正レンズのｄ線に対するアッベ数、
θｇＦ1nは、前記第１レンズ群中の少なくとも１枚の負レンズのｇ線とＦ線に対する部分分散比、
ｆ1は、第１レンズ群の焦点距離、
ｆ1cは、第１レンズ群中の接合レンズの焦点距離、であり、
アッベ数νｄ1nは、νｄ1n＝（ｎｄ1n−１）／（ｎＦ1n−ｎＣ1n）で表され、
アッベ数νｄ1pは、νｄ1p＝（ｎｄ1p−１）／（ｎＦ1p−ｎＣ1p）で表され、
部分分散比θｇＦ1nは、θｇＦ1n＝（ｎｇ1n−ｎＦ1n）／（ｎＦ1n−ｎＣ1n）で表され、
ｎｄ1n、ｎｇ1n、ｎＦ1n及びｎＣ1nは、それぞれ、ｄ線、ｇ線、Ｆ線及びＣ線における第１レンズ群中の少なくとも１枚の負レンズの屈折率、
ｎｄ1p、ｎｇ1p、ｎＦ1p及びｎＣ1pは、それぞれ、ｄ線、ｇ線、Ｆ線及びＣ線における第１レンズ群中の少なくとも１枚の正レンズの屈折率、
である。
【００６４】
第３実施形態のズームレンズよれば、光学系の小型化と高い変倍比の確保に有利で、且つ、望遠側で生じやすい色収差の発生を抑えやすいズームレンズを提供できる。
【００６５】
また、第１〜第３実施形態のズームレンズ（以下、適宜、本実施形態のズームレンズとする）は、以下の構成や条件式を組み合わせることができる。
【００６６】
また、本実施形態のズームレンズでは、以下の条件式（４）を満足することが好ましい。
０．０２＜ｆ3／ｆt＜０．１      （４）
ただし、
ｆ3は、第３レンズ群の焦点距離、
ｆtは、望遠端でのズームレンズ全系の焦点距離、
である。
【００６７】
条件式（４）の技術的意義は既に説明したとおりである。
【００６８】
また、本実施形態のズームレンズでは、第３レンズ群を光軸と直交する方向に移動させることにより、手ぶれ発生時に、像面上での像ぶれを補正することが好ましい。
【００６９】
このような構成の技術的意義は既に説明したとおりである。
【００７０】
また、本実施形態のズームレンズでは、以下の条件式（５）を満足することが好ましい。
１．５＜（１−ｍｇ3t）×ｍｇ4t×ｍｇ5t＜７．０      （５）
ただし、
ｍｇ3tは、第３レンズ群の望遠端での横倍率、
ｍｇ4tは、第４レンズ群の望遠端での横倍率、
ｍｇ5tは、第５レンズ群の望遠端での横倍率、
である。
【００７１】
条件式（５）の技術的意義は既に説明したとおりである。
【００７２】
また、本実施形態のズームレンズでは、第１レンズ群は、以下の条件式（６）を満足する負レンズと、以下の条件式（７）を満足する正レンズと、を有することが好ましい。
νｄ1n＜５０      （６）
８０＜νｄ1p      （７）
ただし、
νｄ1nは、第１レンズ群中の少なくとも１枚の負レンズのｄ線に対するアッベ数、
νｄ1pは、第１レンズ群中の少なくとも１枚の正レンズのｄ線に対するアッベ数、
アッベ数νｄ1nは、νｄ1n＝（ｎｄ1n−１）／（ｎＦ1n−ｎＣ1n）で表され、
アッベ数νｄ1pは、νｄ1p＝（ｎｄ1p−１）／（ｎＦ1p−ｎＣ1p）で表され、
ｎｄ1n、ｎｇ1n、ｎＦ1n及びｎＣ1nは、それぞれ、ｄ線、ｇ線、Ｆ線及びＣ線における第１レンズ群中の少なくとも１枚の負レンズの屈折率、
ｎｄ1p、ｎｇ1p、ｎＦ1p及びｎＣ1pは、それぞれ、ｄ線、ｇ線、Ｆ線及びＣ線における第１レンズ群中の少なくとも１枚の正レンズの屈折率、
である。
【００７３】
条件式（６）、（７）の技術的意義は既に説明したとおりである。
【００７４】
また、本実施形態のズームレンズでは、条件式（６）を満足する負レンズは、以下の条件式（８）を満足することが好ましい。
θｇＦ1n＜−０．００２６６νｄ1n＋０．６８１０７      （８）
ただし、
νｄ1nは、第１レンズ群中の少なくとも１枚の負レンズのｄ線に対するアッベ数、
θｇＦ1nは、第１レンズ群中の少なくとも１枚の負レンズのｇ線とＦ線に対する部分分散比、
アッベ数νｄ1nは、νｄ1n＝（ｎｄ1n−１）／（ｎＦ1n−ｎＣ1n）で表され、
部分分散比θｇＦ1nは、θｇＦ1n＝（ｎｇ1n−ｎＦ1n）／（ｎＦ1n−ｎＣ1n）で表され、
ｎｄ1n、ｎｇ1n、ｎＦ1n及びｎＣ1nは、それぞれ、ｄ線、ｇ線、Ｆ線及びＣ線における第１レンズ群中の少なくとも１枚の負レンズの屈折率、
である。
【００７５】
条件式（８）の技術的意義は既に説明したとおりである。
【００７６】
また、本実施形態のズームレンズでは、第１レンズ群は、負レンズと正レンズとを有する接合レンズと、少なくとも１枚の正レンズと、を有することが好ましい。
【００７７】
このような構成の技術的意義は既に説明したとおりである。
【００７８】
また、本実施形態のズームレンズでは、以下の条件式（９）を満足することが好ましい。
−０．１５＜ｆ1／ｆ1c＜０．１５      （９）
ただし、
ｆ1は、第１レンズ群の焦点距離、
ｆ1cは、第１レンズ群中の接合レンズの焦点距離、
である。
【００７９】
条件式（９）の技術的意義は既に説明したとおりである。
【００８０】
また、本実施形態のズームレンズでは、第１レンズ群と第３レンズ群は、広角端よりも望遠端にて物体側に位置し、第５レンズ群は、広角端よりも望遠端にて像側に位置することが好ましい。
【００８１】
上述のように、本実施形態のズームレンズでは、第１レンズ群、第２レンズ群及び第３レンズ群の移動にて、主な変倍を行っている。また、広角端では、第１レンズ群と第２レンズ群との合成屈折力を負屈折力とし、第３レンズ群以降のレンズ群での合成屈折力を正屈折力としている。すなわち、広角端では、光学系のタイプをレトロフォーカスタイプとしている。そして、第２レンズ群と第３レンズ群の間隔を広角端で広くし、望遠端で狭めることで、変倍作用を持たせている。
【００８２】
また、広角端に比べ望遠端において第３レンズが物体側に位置することで、第３レンズ群の変倍比を高めている。
【００８３】
また、高い変倍比を実現するために、広角端に対し望遠端にて、第３レンズ群と第５レンズ群の距離を増加させている。このとき、第５レンズ群が広角端に対して望遠端にて像側に位置することで、第５レンズ群でも増倍を行い高変倍比化に寄与している。
【００８４】
また、本実施形態のズームレンズでは、第２レンズ群は、広角端よりも望遠端にて像側に位置することが好ましい。
【００８５】
広角端に比べ望遠端において第１レンズ群が物体側に、第２レンズ群が像側に移動することで、大きな変倍効果を持たせている。第１レンズ群の移動量も低減しやすくなり、鏡筒構造も小さくし易くしている。
【００８６】
また、本実施形態のズームレンズでは、以下の条件式（１０）を満足することが好ましい。
０．２＜ｆ1／ｆt＜０．５      （１０）
ただし、
ｆ1は、第１レンズ群の焦点距離、
ｆtは、望遠端でのズームレンズ全系の焦点距離、
である。
【００８７】
条件式（１０）の下限値を下回らないようにして、第１レンズ群の屈折力の過剰を抑え、望遠端での球面収差の低減に寄与している。条件式（１０）の上限値を上回らないようにして、第１レンズ群の屈折力を適切に確保することで、望遠端におけるズームレンズの全長の短縮化とレンズ径の小型化に寄与している。
【００８８】
また、本実施形態のズームレンズでは、無限遠物点から近距離物点へのフォーカシングの際に、第４レンズ群が像側に移動することが好ましい。
【００８９】
アクチュエーターなどのレンズ群の駆動機構への負荷を小さくするためには、フォーカシングレンズ群は、レンズ径が小さく重量が軽いレンズ群とすることが好ましい。本実施形態のズームレンズでは、このようなレンズ群は、第３レンズ群より像側にあるレンズ群になる。一方、第５レンズ群の横倍率は１より小さいため、フォーカシングに用いると移動量が大きくなる。この場合、特に望遠端における色収差の変動が大きくなるので、近距離物点合焦時の光学性能の維持が難しくなる。
【００９０】
そこで、横倍率が１より大きい第４レンズ群をフォーカシングレンズ群としている。このようにして、フォーカシングの際の移動量を小さくし、収差変動を小さくしている。
【００９１】
また、本実施形態のズームレンズでは、広角端にて、半画角が３０°以上の光線がズームレンズ中を通過可能であり、以下の条件式（１１）を満足することが好ましい。
４０＜ｆt／ｆw＜１５０      （１１）
ただし、
ｆtは、望遠端でのズームレンズ全系の焦点距離、
ｆwは、広角端でのズームレンズ全系の焦点距離、
である。
【００９２】
条件式（１１）の下限値を下回らない変倍比を確保することで、様々な撮影場面（撮影光景や撮影対象）にて、各々の撮影場面に適した撮影画角を選択できる。条件式（１１）の上限値を上回らないように変倍比の増大を抑えることで、望遠端での必要な明るさを確保している。
【００９３】
上述のように、変倍の際に各々のレンズ群は移動するが、より具体的には、広角端から望遠端への変倍の際に各々のレンズ群は以下のように移動することが好ましい。第１レンズ群は物体側にのみ移動する。第２レンズ群は像側にのみ移動する。第３レンズ群は物体側にのみ移動する。第４レンズ群は、広角端から中間焦点距離状態までの間は、物体側に移動した後、像側に移動するか、物体側にのみ移動する。中間焦点距離状態から望遠端までの間は、像側にのみ移動するか、像側に移動した後、物体側に移動する。第５レンズ群は、広角端から中間焦点距離状態までの間は、像側にのみ移動する。中間焦点距離状態から望遠端までの間は、像側にのみ移動するか、像側に移動した後、物体側に移動する。
【００９４】
また、本実施形態の撮像装置は、ズームレンズと、撮像面を持ち且つズームレンズにより撮像面上に形成された像を電気信号に変換する撮像素子と、を有し、ズームレンズが上述のズームレンズであることを特徴とする。
【００９５】
このようにすることで、小型で高い変倍比を有しながらも、次のような特徴を備える撮像装置を提供できる。（Ｉ）諸収差が良好に補正された画像が取得できる撮像装置。（ＩＩ）諸収差が良好に補正された画像が取得でき、且つ、手ぶれの影響が抑えられた撮像装置。（ＩＩＩ）色収差の少ない画像が取得できる撮像装置。
【００９６】
また、本実施形態の撮像装置では、画像変換部を有し、画像変換部における画像処理により、ズームレンズによる歪曲収差を含んだ電気信号を、歪曲収差を補正した画像信号に変換することが好ましい。
【００９７】
このようにすることで、撮像装置に用いるズームレンズは、広角側にて樽型の歪曲収差を許容する代わりに、非点収差をより良好に補正したズームレンズになる。すなわち、撮像装置に用いるズームレンズでは、諸収差やスペックについて、光学系全体での最適化を行っている。また、歪曲収差の補正を電気的に行うことで、小型化と画質維持の両立に寄与している。
【００９８】
なお、歪曲収差の補正量を色信号ごとに変更して、倍率の色収差も画像処理により補正してもよい。
【００９９】
なお、ズームレンズがフォーカシング機能をもつ場合、上述の各構成は無限遠物点に合焦した状態での構成とする。また、上述の条件式における各レンズ群の横倍率やズームレンズ全系の焦点距離は、いずれも、無限遠物点に合焦した状態での横倍率や焦点距離である。
【０１００】
また、上述の構成は相互に複数を同時に満足することがより好ましい。また、一部の構成を同時に満足するようにしてもよい。例えば、上述のズームレンズや撮像装置の何れかにて上述のズームレンズの何れかを用いるようにしてもよい。
【０１０１】
また、条件式については、それぞれの条件式を個別に満足させるようにしても良い。このようにすると、それぞれの効果を得やすくなるので好ましい。
【０１０２】
また、各条件式について、以下のように下限値、または上限値を変更しても良い。このようにすることで、各条件式の効果を一層確実にできるので好ましい。
【０１０３】
条件式（１）について
下限値を２．２、更には２．３とすることがより好ましい。
上限値を４、更には３、更には２．８とすることがより好ましい。
条件式（２）について
下限値を１．３、更には１．３５とすることがより好ましい。
上限値を３、更には２、更には１．９とすることがより好ましい。
条件式（３）について
下限値を０．０３、更には０．０４とすることがより好ましい。
上限値を０．１０、更には０．０８とすることがより好ましい。
条件式（４）について
下限値を０．０３、更には０．０５とすることがより好ましい。
上限値を０．０８、更には０．０７とすることがより好ましい。
条件式（５）について
下限値を２．５、更には３．０とすることがより好ましい。
上限値を５．０、更には４．０とすることがより好ましい。
条件式（６）について
上限値を４５、更には４３とすることがより好ましい。
条件式（７）について
下限値を８１、更には８１．５とすることがより好ましい。
条件式（９）について
下限値を０、更には０．０５とすることがより好ましい。
上限値を０．１３５、更には０．１２５とすることがより好ましい。
条件式（１０）について
下限値を０．２５、更には０．３２とすることがより好ましい。
上限値を０．４２、更には０．３７とすることがより好ましい。
条件式（１１）について
下限値を４５、更には５２とすることがより好ましい。
上限値を１００、更には７０とすることがより好ましい。
【０１０４】
以下に、本発明に係る撮像装置に用いられるズームレンズの実施例を、図面に基づいて詳細に説明する。なお、この実施例によりこの発明が限定されるものではない。
【０１０５】
各実施例では、広角側で発生する樽型の歪曲収差を電気的に補正した上で画像の記録や表示を行っている。本実施例のズームレンズでは、矩形の光電変換面上に像が形成される。ここで、広角端では、樽型の歪曲収差が発生する。一方、中間焦点距離状態付近や望遠端では、歪曲収差の発生が抑えられている。
【０１０６】
この歪曲収差を電気的に補正するために、広角端では樽型形状となり、中間焦点距離状態や望遠端では矩形の形状となるように、有効撮像領域を設定している。そして、あらかじめ設定した有効撮像領域内の画像情報を画像処理により画像変換し、歪みを低減させた矩形の画像情報に変換する。
【０１０７】
本実施例のズームレンズでは、広角端での最大像高ＩＨｗは、中間焦点距離状態１、２及び３の最大像高ＩＨｓ１、ＩＨｓ２、ＩＨｓ３や望遠端での最大像高ＩＨｔよりも小さくなるようにしている。
【０１０８】
また、本実施例のズームレンズでは、複数のレンズを張り合わせるために接着剤を用いている。数値実施例には、この接着剤の層の厚みも記載している。ただし、接着剤層はレンズではない。
【０１０９】
以下、ズームレンズの実施例１〜６について説明する。実施例１〜６のレンズ断面図を、それぞれ図１〜図６に示す。図１〜図６中、（ａ）は、広角端におけるレンズ断面図、（ｂ）は、中間焦点距離状態２におけるレンズ断面図、（ｃ）は、望遠端におけるレンズ断面図である。なお、（ａ）〜（ｃ）は、いずれも、無限遠物点合焦時のレンズ断面図である。
【０１１０】
また、第１レンズ群はＧ１、第２レンズ群はＧ２、第３レンズ群はＧ３、第４レンズ群はＧ４、第５レンズ群はＧ５、開口絞り（明るさ絞り）はＳ、像面（撮像面）はＩで示してある。また、第５レンズ群はＧ５と像面Ｉとの間に、ローパスフィルタを構成する平行平板Ｆや、電子撮像素子のカバーガラスＣが配置されている。なお、平行平板Ｆの表面に、赤外光を制限する波長域制限コートを施しても良い。また、カバーガラスＣの表面に波長域制限用の多層膜を施してもよい。また、そのカバーガラスＣにローパスフィルタ作用を持たせるようにしてもよい。
【０１１１】
実施例１のズームレンズは、図１に示すように、物体側から順に、正屈折力の第１レンズ群Ｇ１と、負屈折力の第２レンズ群Ｇ２と、正屈折力の第３レンズ群Ｇ３と、負屈折力の第４レンズ群Ｇ４と、正屈折力の第５レンズ群Ｇ５と、で構成されている。開口絞り（絞り）Ｓは、第３レンズ群Ｇ３の物体側に配置されている。
【０１１２】
第１レンズ群Ｇ１は、物体側に凸面を向けた負メニスカスレンズＬ１と、両凸正レンズＬ２と、物体側に凸面を向けた正メニスカスレンズＬ３と、で構成されている。負メニスカスレンズＬ１には、Ｓ−ＬＡＨ５５Ｖ（株式会社オハラ製）が用いられている。
【０１１３】
第２レンズ群Ｇ２は、物体側に凸面を向けた負メニスカスレンズＬ４と、両凹負レンズＬ５と、両凸正レンズＬ６と、両凹負レンズＬ７と、で構成されている。ここで、両凸正レンズＬ６と両凹負レンズＬ７とが接合されている。
【０１１４】
第３レンズ群Ｇ３は、両凸正レンズＬ８と、物体側に凸面を向けた正メニスカスレンズＬ９と、物体側に凸面を向けた負メニスカスレンズＬ１０と、両凸正レンズＬ１１と、で構成されている。ここで、正メニスカスレンズＬ９と負メニスカスレンズＬ１０とが接合されている。
【０１１５】
第４レンズ群Ｇ４は、両凸正レンズＬ１２と、両凹負レンズＬ１３と、で構成されている。
【０１１６】
第５レンズ群Ｇ５は、物体側に凸面を向けた負メニスカスレンズＬ１４と、両凸正レンズＬ１５と、で構成されている。
【０１１７】
広角端から望遠端への変倍時、各レンズ群は以下のように移動する。第１レンズ群Ｇ１は物体側に移動する。第２レンズ群Ｇ２は像側に移動する。第３レンズ群Ｇ３は物体側に移動する。第４レンズ群Ｇ４は、広角端から中間焦点距離状態２までの間は、物体側に移動した後、像側に移動し、中間焦点距離状態２から望遠端までの間は物体側に移動する。第５レンズ群Ｇ５は像側に移動する。開口絞り（絞り）Ｓは、第３レンズ群Ｇ３と共に物体側に移動する。
【０１１８】
像ぶれ補正時、第３レンズ群Ｇ３が光軸と直交する方向に移動する。また、フォーカシング時、第４レンズ群Ｇ４が光軸に沿って移動する。
【０１１９】
非球面は、両凹負レンズＬ５の両面と、両凸正レンズＬ８の両面と、両凹負レンズＬ１３の像側面と、両凸正レンズＬ１５の像側面との、合計６面に設けられている。
【０１２０】
実施例２のズームレンズは、図２に示すように、物体側から順に、正屈折力の第１レンズ群Ｇ１と、負屈折力の第２レンズ群Ｇ２と、正屈折力の第３レンズ群Ｇ３と、負屈折力の第４レンズ群Ｇ４と、正屈折力の第５レンズ群Ｇ５と、で構成されている。開口絞り（絞り）Ｓは、第３レンズ群Ｇ３の物体側に配置されている。
【０１２１】
第１レンズ群Ｇ１は、物体側に凸面を向けた負メニスカスレンズＬ１と、両凸正レンズＬ２と、物体側に凸面を向けた正メニスカスレンズＬ３と、で構成されている。負メニスカスレンズＬ１には、Ｓ−ＬＡＨ５５Ｖ（株式会社オハラ製）が用いられている。
【０１２２】
第２レンズ群Ｇ２は、物体側に凸面を向けた負メニスカスレンズＬ４と、両凹負レンズＬ５と、両凸正レンズＬ６と、平凹負レンズＬ７と、で構成されている。ここで、両凸正レンズＬ６と平凹負レンズＬ７とが接合されている。
【０１２３】
第３レンズ群Ｇ３は、両凸正レンズＬ８と、物体側に凸面を向けた正メニスカスレンズＬ９と、物体側に凸面を向けた負メニスカスレンズＬ１０と、両凸正レンズＬ１１と、で構成されている。ここで、正メニスカスレンズＬ９と負メニスカスレンズＬ１０とが接合されている。
【０１２４】
第４レンズ群Ｇ４は、平凸正レンズＬ１２と、両凹負レンズＬ１３と、で構成されている。
【０１２５】
第５レンズ群Ｇ５は、両凸正レンズＬ１４で構成されている。
【０１２６】
広角端から望遠端への変倍時、各レンズ群は以下のように移動する。第１レンズ群Ｇ１は物体側に移動する。第２レンズ群Ｇ２は像側に移動する。第３レンズ群Ｇ３は物体側に移動する。第４レンズ群Ｇ４は、広角端から中間焦点距離状態２までの間は、物体側に移動した後、像側に移動し、中間焦点距離状態２から望遠端までの間は物体側に移動する。第５レンズ群Ｇ５は、広角端から中間焦点距離状態２までの間は像側に移動し、中間焦点距離状態２から望遠端までの間は像側に移動した後、物体側に移動する。開口絞り（絞り）Ｓは、第３レンズ群Ｇ３と共に物体側に移動する。
【０１２７】
像ぶれ補正時、第３レンズ群Ｇ３が光軸と直交する方向に移動する。また、フォーカシング時、第４レンズ群Ｇ４が光軸に沿って移動する。
【０１２８】
非球面は、両凹負レンズＬ５の両面と、両凸正レンズＬ８の両面と、両凸正レンズＬ１４の両面との、合計６面に設けられている。
【０１２９】
実施例３のズームレンズは、図３に示すように、物体側から順に、正屈折力の第１レンズ群Ｇ１と、負屈折力の第２レンズ群Ｇ２と、正屈折力の第３レンズ群Ｇ３と、負屈折力の第４レンズ群Ｇ４と、正屈折力の第５レンズ群Ｇ５と、で構成されている。開口絞り（絞り）Ｓは、第３レンズ群Ｇ３の物体側に配置されている。
【０１３０】
第１レンズ群Ｇ１は、物体側に凸面を向けた負メニスカスレンズＬ１と、両凸正レンズＬ２と、物体側に凸面を向けた正メニスカスレンズＬ３と、で構成されている。負メニスカスレンズＬ１には、Ｓ−ＬＡＨ５５Ｖ（株式会社オハラ製）が用いられている。
【０１３１】
第２レンズ群Ｇ２は、物体側に凸面を向けた負メニスカスレンズＬ４と、両凹負レンズＬ５と、両凸正レンズＬ６と、平凹負レンズＬ７と、で構成されている。ここで、両凸正レンズＬ６と平凹負レンズＬ７とが接合されている。
【０１３２】
第３レンズ群Ｇ３は、両凸正レンズＬ８と、物体側に凸面を向けた正メニスカスレンズＬ９と、物体側に凸面を向けた負メニスカスレンズＬ１０と、両凸正レンズＬ１１と、で構成されている。ここで、正メニスカスレンズＬ９と負メニスカスレンズＬ１０とが接合されている。
【０１３３】
第４レンズ群Ｇ４は、両凹負レンズＬ１２と、物体側に凸面を向けた正メニスカスレンズＬ１３と、で構成されている。ここで、両凹負レンズＬ１２と正メニスカスレンズＬ１３とが接合されている。
【０１３４】
第５レンズ群Ｇ５は、両凸正レンズＬ１４で構成されている。
【０１３５】
広角端から望遠端への変倍時、各レンズ群は以下のように移動する。第１レンズ群Ｇ１は物体側に移動する。第２レンズ群Ｇ２は像側に移動する。第３レンズ群Ｇ３は物体側に移動する。第４レンズ群Ｇ４は、広角端から中間焦点距離状態２までの間は物体側に移動し、中間焦点距離状態２から望遠端までの間は像側に移動した後、物体側に移動する。第５レンズ群Ｇ５は、広角端から中間焦点距離状態２までの間は像側に移動し、中間焦点距離状態２から望遠端までの間は像側に移動した後、物体側に移動する。開口絞り（絞り）Ｓは、第３レンズ群Ｇ３と共に物体側に移動する。
【０１３６】
像ぶれ補正時、第３レンズ群Ｇ３が光軸と直交する方向に移動する。また、フォーカシング時、第４レンズ群Ｇ４が光軸に沿って移動する。
【０１３７】
非球面は、両凹負レンズＬ５の両面と、両凸正レンズＬ８の両面と、両凸正レンズＬ１４の両面との、合計６面に設けられている。
【０１３８】
実施例４のズームレンズは、図４に示すように、物体側から順に、正屈折力の第１レンズ群Ｇ１と、負屈折力の第２レンズ群Ｇ２と、正屈折力の第３レンズ群Ｇ３と、負屈折力の第４レンズ群Ｇ４と、正屈折力の第５レンズ群Ｇ５と、で構成されている。開口絞り（絞り）Ｓは、第３レンズ群Ｇ３の物体側に配置されている。
【０１３９】
第１レンズ群Ｇ１は、物体側に凸面を向けた負メニスカスレンズＬ１と、両凸正レンズＬ２と、物体側に凸面を向けた正メニスカスレンズＬ３と、で構成されている。負メニスカスレンズＬ１には、Ｓ−ＬＡＨ５５Ｖ（株式会社オハラ製）が用いられている。
【０１４０】
第２レンズ群Ｇ２は、物体側に凸面を向けた負メニスカスレンズＬ４と、両凹負レンズＬ５と、両凸正レンズＬ６と、両凹負レンズＬ７と、で構成されている。ここで、両凸正レンズＬ６と両凹負レンズＬ７とが接合されている。
【０１４１】
第３レンズ群Ｇ３は、両凸正レンズＬ８と、物体側に凸面を向けた正メニスカスレンズＬ９と、物体側に凸面を向けた負メニスカスレンズＬ１０と、両凸正レンズＬ１１と、で構成されている。ここで、正メニスカスレンズＬ９と負メニスカスレンズＬ１０とが接合されている。
【０１４２】
第４レンズ群Ｇ４は、両凹負レンズＬ１２で構成されている。
【０１４３】
第５レンズ群Ｇ５は、両凸正レンズＬ１３で構成されている。
【０１４４】
広角端から望遠端への変倍時、各レンズ群は以下のように移動する。第１レンズ群Ｇ１は物体側に移動する。第２レンズ群Ｇ２は像側に移動する。第３レンズ群Ｇ３は物体側に移動する。第４レンズ群Ｇ４は、広角端から中間焦点距離状態２までの間は、物体側に移動した後、像側に移動し、中間焦点距離状態２から望遠端までの間は物体側に移動する。第５レンズ群Ｇ５は、広角端から中間焦点距離状態２までの間は像側に移動し、中間焦点距離状態２から望遠端までの間は像側に移動した後、物体側に移動する。開口絞り（絞り）Ｓは、第３レンズ群Ｇ３と共に物体側に移動する。
【０１４５】
像ぶれ補正時、第３レンズ群Ｇ３が光軸と直交する方向に移動する。また、フォーカシング時、第４レンズ群Ｇ４が光軸に沿って移動する。
【０１４６】
非球面は、両凹負レンズＬ５の像側面と、両凸正レンズＬ８の両面と、両凸正レンズＬ１３の両面との、合計５面に設けられている。
【０１４７】
実施例５のズームレンズは、図５に示すように、物体側から順に、正屈折力の第１レンズ群Ｇ１と、負屈折力の第２レンズ群Ｇ２と、正屈折力の第３レンズ群Ｇ３と、負屈折力の第４レンズ群Ｇ４と、正屈折力の第５レンズ群Ｇ５と、で構成されている。開口絞り（絞り）Ｓは、第３レンズ群Ｇ３の物体側に配置されている。
【０１４８】
第１レンズ群Ｇ１は、物体側に凸面を向けた負メニスカスレンズＬ１と、両凸正レンズＬ２と、物体側に凸面を向けた正メニスカスレンズＬ３と、で構成されている。負メニスカスレンズＬ１には、Ｓ−ＬＡＨ５５Ｖ（株式会社オハラ製）が用いられている。
【０１４９】
第２レンズ群Ｇ２は、物体側に凸面を向けた負メニスカスレンズＬ４と、両凹負レンズＬ５と、両凸正レンズＬ６と、平凹負レンズＬ７と、で構成されている。ここで、両凸正レンズＬ６と平凹負レンズＬ７とが接合されている。
【０１５０】
第３レンズ群Ｇ３は、両凸正レンズＬ８と、両凸正レンズＬ９と、両凹負レンズＬ１０と、両凸正レンズＬ１１と、で構成されている。ここで、両凸正レンズＬ９と両凹負レンズＬ１０とが接合されている。
【０１５１】
第４レンズ群Ｇ４は、両凹負レンズＬ１２で構成されている。
【０１５２】
第５レンズ群Ｇ５は、両凸正レンズＬ１３で構成されている。
【０１５３】
広角端から望遠端への変倍時、各レンズ群は以下のように移動する。第１レンズ群Ｇ１は物体側に移動する。第２レンズ群Ｇ２は像側に移動する。第３レンズ群Ｇ３は物体側に移動する。第４レンズ群Ｇ４は、広角端から中間焦点距離状態２までの間は、物体側に移動した後、像側に移動し、中間焦点距離状態２から望遠端までの間は像側に移動した後、物体側に移動する。第５レンズ群Ｇ５は像側に移動する。開口絞り（絞り）Ｓは、第３レンズ群Ｇ３と共に物体側に移動する。
【０１５４】
像ぶれ補正時、第３レンズ群Ｇ３が光軸と直交する方向に移動する。また、フォーカシング時、第４レンズ群Ｇ４が光軸に沿って移動する。
【０１５５】
非球面は、両凹負レンズＬ５の両面と、両凸正レンズＬ８の両面と、両凸正レンズＬ１３の両面との、合計６面に設けられている。
【０１５６】
実施例６のズームレンズは、図６に示すように、物体側から順に、正屈折力の第１レンズ群Ｇ１と、負屈折力の第２レンズ群Ｇ２と、正屈折力の第３レンズ群Ｇ３と、負屈折力の第４レンズ群Ｇ４と、正屈折力の第５レンズ群Ｇ５と、で構成されている。開口絞り（絞り）Ｓは、第３レンズ群Ｇ３の物体側に配置されている。
【０１５７】
第１レンズ群Ｇ１は、物体側に凸面を向けた負メニスカスレンズＬ１と、両凸正レンズＬ２と、物体側に凸面を向けた正メニスカスレンズＬ３と、で構成されている。負メニスカスレンズＬ１には、Ｓ−ＬＡＨ５５Ｖ（株式会社オハラ製）が用いられている。
【０１５８】
第２レンズ群Ｇ２は、物体側に凸面を向けた負メニスカスレンズＬ４と、両凹負レンズＬ５と、両凸正レンズＬ６と、平凹負レンズＬ７と、で構成されている。ここで、両凸正レンズＬ６と平凹負レンズＬ７とが接合されている。
【０１５９】
第３レンズ群Ｇ３は、両凸正レンズＬ８と、物体側に凸面を向けた正メニスカスレンズＬ９と、物体側に凸面を向けた負メニスカスレンズＬ１０と、両凸正レンズＬ１１と、で構成されている。ここで、正メニスカスレンズＬ９と負メニスカスレンズＬ１０とが接合されている。
【０１６０】
第４レンズ群Ｇ４は、両凹負レンズＬ１２で構成されている。
【０１６１】
第５レンズ群Ｇ５は、両凸正レンズＬ１３で構成されている。
【０１６２】
広角端から望遠端への変倍時、各レンズ群は以下のように移動する。第１レンズ群Ｇ１は物体側に移動する。第２レンズ群Ｇ２は、広角端から中間焦点距離状態２までの間は像側に移動し、中間焦点距離状態２から望遠端までの間は物体側に移動した後、像側に移動する。第３レンズ群Ｇ３は物体側に移動する。第４レンズ群Ｇ４は、広角端から中間焦点距離状態２までの間は、物体側に移動した後、像側に移動し、中間焦点距離状態２から望遠端までの間は物体側に移動する。第５レンズ群Ｇ５は、広角端から中間焦点距離状態２までの間は像側に移動し、中間焦点距離状態２から望遠端までの間は、像側に移動した後、物体側に移動する。開口絞り（絞り）Ｓは、第３レンズ群Ｇ３と共に物体側に移動する。
【０１６３】
像ぶれ補正時、第３レンズ群Ｇ３が光軸と直交する方向に移動する。また、フォーカシング時、第４レンズ群Ｇ４が光軸に沿って移動する。
【０１６４】
非球面は、両凹負レンズＬ５の両面と、両凸正レンズＬ８の両面と、両凸正レンズＬ１３の両面との、合計６面に設けられている。
【０１６５】
以下に、上記各実施例の数値データを示す。記号は上記の外、ｒは各レンズ面の曲率半径、ｄは各レンズ面間の間隔、ｎｄは各レンズのｄ線の屈折率、νｄは各レンズのアッベ数、＊印は非球面である。また、ｆは全系の焦点距離、ＦＮＯ．はＦナンバー、ωは半画角、ＩＨは像高、ＦＢはバックフォーカス、全長は、ズームレンズの最も物体側のレンズ面から最も像側のレンズ面までの距離にＦＢ（バックフォーカス）を加えたもの、ｆ１、ｆ２…は各レンズ群の焦点距離である。なお、ＦＢは、レンズ最終面から近軸像面までの距離を空気換算して表したものである。また、後述のように、数値実施例におけるＩＨの値は、収差図におけるＦＩＹの値と異なっている。半画角の値は、像高がＩＨの値の場合の値である。像面は撮像面とみなすことができる。
【０１６６】
また、広角は広角端、中間１は中間焦点距離状態１、中間２は中間焦点距離状態２、中間３は中間焦点距離状態３、望遠は望遠端を表している。ここで、中間１は広角と中間２の間の焦点距離状態、中間３は中間２と望遠の間の焦点距離状態である。広角端から望遠端へ実際に変倍するときは、広角端、中間焦点距離状態１、中間焦点距離状態２、中間焦点距離状態３、望遠端の順で、変倍が行なわれる。
【０１６７】
また、非球面形状は、光軸方向をｚ、光軸に直交する方向をｙにとり、円錐係数をｋ、非球面係数をＡ４、Ａ６、Ａ８、Ａ１０としたとき、次の式で表される。
ｚ＝（ｙ2／ｒ）／［１＋｛１−（１＋ｋ）（ｙ／ｒ）2｝1/2］
＋Ａ４ｙ4＋Ａ６ｙ6＋Ａ８ｙ8＋Ａ１０ｙ10
また、非球面係数において、「ｅ−ｎ」（ｎは整数）は、「１０−ｎ」を示している。なお、これら諸元値の記号は後述の実施例の数値データにおいても共通である。
【０１６８】
数値実施例１
単位ｍｍ
面データ
面番号       r           d        nd        νd
物面        ∞          ∞
1        126.709      1.40     1.83481    42.73
2         47.985      0.01     1.56384    60.67
3         47.985      6.75     1.49700    81.54
4       -275.785      0.25
5         45.125      5.45     1.49700    81.54
6        378.115      可変
7        218.051      0.80     1.88300    40.76
8          9.760      4.91
9*       -21.176      0.90     1.74156    49.21
10*       296.526      0.15
11         24.570      2.86     1.92286    18.90
12        -79.930      0.01     1.56384    60.67
13        -79.930      0.75     1.83481    42.73
14         66.813      可変
15（絞り）  ∞         0.30
16*         9.354      2.97     1.58233    59.30
17*       -32.203      0.70
18         11.600      2.28     1.53996    59.46
19        333.982      0.01     1.56384    60.67
20        333.982      0.50     1.90366    31.32
21          7.491      1.52
22         18.755      1.65     1.49700    81.54
23        -54.592      可変
24        591.522      1.40     1.63493    23.90
25        -34.512      0.33
26        -19.822      0.85     1.53071    55.69
27*        13.494      可変
28         22.965      0.80     1.63493    23.90
29         14.617      0.20
30         15.306      2.80     1.53071    55.69
31*       -15.539      可変
32          ∞         0.30     1.51633    64.14
33          ∞         0.53
34          ∞         0.50     1.51633    64.14
35          ∞         0.53
像面        ∞
非球面データ
第９面
k=0.000
A4=2.29902e-05,A6=-2.09575e-09
第１０面
k=0.000
A4=7.66117e-06
第１６面
k=0.000
A4=-1.29610e-04,A6=-1.08073e-06,A8=-2.00539e-08
第１７面
k=0.000
A4=5.27185e-05,A6=-1.01086e-06
第２７面
k=0.000
A4=-5.00000e-07
第３１面
k=0.000
A4=1.36005e-04
ズームデータ
変倍比        54.72
広角     中間２     望遠     中間１    中間３
ｆ             4.75     35.09    259.93     12.88     95.55
ＦＮＯ．       3.47      5.48      6.62      4.07      5.79
画角２ω      83.18     12.32      1.70     32.77      4.60
ＩＨ           3.67      3.91      3.91      3.91      3.91
ＦＢ(in air)   8.09      5.36      2.92      7.04      2.97
全長(in air)  95.33    118.96    144.72    102.65    136.82
d6           0.80     39.89     69.17     20.68     59.26
d14         42.08     11.94      2.00     22.53      7.93
d23          2.13     17.02      9.18      7.49     18.18
d27          1.70      4.23     20.93      4.39      7.96
d31          6.50      3.75      1.29      5.45      1.36
各群焦点距離
f1=90.05     f2=-9.80     f3=16.25    f4=-21.59     f5=19.34
【０１６９】
数値実施例２
単位ｍｍ
面データ
面番号       r           d        nd        νd
物面        ∞          ∞
1        120.030      1.40     1.83481    42.73
2         46.666      0.01     1.56384    60.67
3         46.666      6.65     1.49700    81.54
4       -307.607      0.25
5         44.247      5.50     1.49700    81.54
6        358.534      可変
7        128.536      0.80     1.88300    40.76
8          9.812      5.06
9*       -19.316      0.90     1.74156    49.21
10*       101.738      0.15
11         35.558      2.77     1.92286    18.90
12        -35.558      0.01     1.56384    60.67
13        -35.558      0.75     1.83481    42.73
14          ∞         可変
15（絞り）  ∞         0.30
16*         9.143      3.06     1.58233    59.30
17*       -31.376      0.68
18         11.500      1.91     1.53996    59.46
19         77.038      0.01     1.56384    60.67
20         77.038      0.65     1.90366    31.32
21          7.149      1.50
22         14.756      1.96     1.49700    81.54
23      -3571.103      可変
24          ∞         1.40     1.63493    23.90
25       -141.100      0.37
26        -31.228      0.85     1.53071    55.69
27         13.938      可変
28*        17.500      2.90     1.53071    55.69
29*       -15.547      可変
30          ∞         0.30     1.51633    64.14
31          ∞         0.53
32          ∞         0.50     1.51633    64.14
33          ∞         0.53
像面        ∞
非球面データ
第９面
k=0.000
A4=-1.09097e-04,A6=7.86217e-07,A8=2.15451e-09
第１０面
k=0.000
A4=-1.20797e-04,A6=1.21790e-06
第１６面
k=0.000
A4=-1.29078e-04,A6=-1.01340e-06,A8=-1.75648e-08
第１７面
k=0.000
A4=6.43404e-05,A6=-7.13720e-07
第２８面
k=0.000
A4=1.19109e-04,A6=-8.59233e-06,A8=3.12339e-07
第２９面
k=0.000
A4=4.20533e-04,A6=-1.45565e-05,A8=4.31599e-07
ズームデータ
変倍比        55.01
広角     中間２     望遠     中間１    中間３
ｆ             4.76     35.08    261.83     12.88     95.56
ＦＮＯ．       3.47      5.45      6.62      4.13      5.86
画角２ω      82.66     12.23      1.67     32.50      4.57
ＩＨ           3.64      3.91      3.91      3.91      3.91
ＦＢ(in air)   6.73      5.04      3.49      6.00      3.07
全長(in air)  95.33    121.14    144.71    105.39    137.99
d6           0.80     40.66     68.06     21.28     58.61
d14         41.54     12.82      1.60     23.63      8.67
d23          3.24     16.81     12.54      7.76     18.49
d27          3.18      5.97     19.18      6.87      9.32
d29          5.14      3.45      1.87      4.42      1.50
各群焦点距離
f1=89.06     f2=-9.54     f3=16.39    f4=-19.71     f5=16.00
【０１７０】
数値実施例３
単位ｍｍ
面データ
面番号       r           d        nd        νd
物面        ∞          ∞
1        120.031      1.40     1.83481    42.73
2         46.922      0.01     1.56384    60.67
3         46.922      6.65     1.49700    81.54
4       -329.605      0.25
5         44.839      5.50     1.49700    81.54
6        380.838      可変
7        139.069      0.80     1.88300    40.76
8          9.506      4.97
9*       -20.883      0.90     1.74156    49.21
10*        93.656      0.15
11         35.537      2.73     1.92286    18.90
12        -35.537      0.01     1.56384    60.67
13        -35.537      0.75     1.83481    42.73
14          ∞         可変
15（絞り）  ∞         0.30
16*         8.770      3.10     1.58233    59.30
17*       -32.598      0.60
18         11.500      1.83     1.53996    59.46
19         64.409      0.01     1.56384    60.67
20         64.409      0.50     1.90366    31.32
21          7.000      1.52
22         14.664      1.93     1.49700    81.54
23       -545.110      可変
24        -42.891      0.60     1.58313    59.38
25         13.404      0.01     1.56384    60.67
26         13.404      1.06     1.64769    33.79
27         15.184      可変
28*        17.500      2.90     1.53071    55.69
29*       -16.424      可変
30          ∞         0.30     1.51633    64.14
31          ∞         0.53
32          ∞         0.50     1.51633    64.14
33          ∞         0.53
像面        ∞
非球面データ
第９面
k=0.000
A4=-1.35873e-04,A6=8.58928e-07,A8=3.21007e-09
第１０面
k=0.000
A4=-1.53459e-04,A6=1.33857e-06
第１６面
k=0.000
A4=-1.41136e-04,A6=-9.04879e-07,A8=-1.99592e-08
第１７面
k=0.000
A4=6.94959e-05,A6=-3.89422e-07
第２８面
k=0.000
A4=4.58752e-05,A6=-7.85596e-06,A8=2.10231e-07
第２９面
k=0.000
A4=3.21304e-04,A6=-1.27334e-05,A8=2.94771e-07
ズームデータ
変倍比        54.81
広角     中間２     望遠     中間１    中間３
ｆ             4.76     35.08    260.91     12.88     95.55
ＦＮＯ．       3.47      5.54      6.62      4.17      5.87
画角２ω      82.67     12.25      1.67     32.55      4.56
ＩＨ           3.64      3.91      3.91      3.91      3.91
ＦＢ(in air)   6.82      4.97      3.43      5.95      3.07
全長(in air)  95.33    122.69    144.72    105.15    138.05
d6           0.80     41.95     69.30     21.59     59.66
d14         41.84     13.67      1.60     23.63      8.35
d23          4.22     15.91     13.77      8.81     19.93
d27          3.19      7.71     18.15      6.70      8.57
d29          5.23      3.38      1.80      4.38      1.50
各群焦点距離
f1=90.20     f2=-9.51     f3=16.32    f4=-19.28     f5=16.45
【０１７１】
数値実施例４
単位ｍｍ
面データ
面番号       r           d        nd        νd
物面        ∞          ∞
1        120.457      1.40     1.83481    42.73
2         46.107      0.01     1.56384    60.67
3         46.107      6.70     1.49700    81.54
4       -292.510      0.25
5         43.809      5.35     1.49700    81.54
6        364.455      可変
7        126.352      0.80     1.88300    40.76
8          9.532      4.43
9        -24.685      0.80     1.74156    49.21
10*        27.857      0.82
11         21.305      2.71     1.92286    18.90
12       -104.232      0.01     1.56384    60.67
13       -104.232      0.75     1.83481    42.73
14        104.232      可変
15（絞り）  ∞         0.30
16*        10.194      2.70     1.58233    59.30
17*       -67.288      1.57
18         13.039      1.80     1.51633    64.14
19         65.545      0.01     1.56384    60.67
20         65.545      0.75     1.90366    31.32
21          8.184      1.50
22         13.882      1.90     1.49700    81.54
23        -36.279      可変
24        -37.684      0.80     1.51633    64.14
25         12.000      可変
26*        14.946      3.08     1.53071    55.69
27*       -17.484      可変
28          ∞         0.30     1.51633    64.14
29          ∞         0.53
30          ∞         0.50     1.51633    64.14
31          ∞         0.53
像面        ∞
非球面データ
第１０面
k=0.000
A4=-9.94201e-06,A6=2.48173e-07
第１６面
k=0.000
A4=-6.81118e-05,A6=-6.74071e-08,A8=4.69153e-09
第１７面
k=0.000
A4=5.17518e-05,A6=2.30808e-07,A8=8.08262e-09
第２６面
k=0.000
A4=-3.07038e-05
第２７面
k=0.000
A4=7.94920e-05,A6=-2.93829e-07
ズームデータ
変倍比        55.09
広角     中間２     望遠     中間１    中間３
ｆ             4.76     35.00    262.22     12.90     95.45
ＦＮＯ．       3.47      5.30      6.63      4.09      5.78
画角２ω      82.74     12.46      1.68     32.94      4.61
ＩＨ           3.64      3.91      3.91      3.91      3.91
ＦＢ(in air)   8.49      6.06      3.26      7.94      3.17
全長(in air)  95.73    124.72    145.23    103.72    139.76
d6           0.80     43.31     68.15     21.38     59.26
d14         40.21     12.59      1.84     20.58      8.39
d23          5.23     20.02     17.04     12.15     22.83
d25          2.57      4.30     16.50      3.24      7.67
d27          6.90      4.47      1.69      6.35      1.60
各群焦点距離
f1=88.20     f2=-9.14     f3=17.16    f4=-17.53     f5=15.70
【０１７２】
数値実施例５
単位ｍｍ
面データ
面番号       r           d        nd        νd
物面        ∞          ∞
1        123.235      1.40     1.83481    42.73
2         47.421      0.01     1.56384    60.67
3         47.421      6.70     1.49700    81.54
4       -300.810      0.25
5         44.865      5.40     1.49700    81.54
6        354.346      可変
7        124.378      0.80     1.88300    40.76
8          9.549      5.04
9*       -21.082      0.90     1.74156    49.21
10*        85.000      0.15
11         35.203      2.74     1.92286    18.90
12        -35.203      0.01     1.56384    60.67
13        -35.203      0.70     1.83481    42.73
14          ∞         可変
15（絞り）  ∞         0.30
16*         8.880      3.19     1.58233    59.30
17*       -30.463      0.60
18         12.311      2.03     1.57099    50.80
19       -309.773      0.01     1.56384    60.67
20       -309.773      0.50     1.90366    31.32
21          7.154      1.41
22         13.880      1.94     1.49700    81.54
23       -249.208      可変
24        -33.528      0.55     1.48749    70.23
25         14.440      可変
26*        17.500      2.90     1.53071    55.69
27*       -17.747      可変
28          ∞         0.30     1.51633    64.14
29          ∞         0.53
30          ∞         0.50     1.51633    64.14
31          ∞         0.53
像面        ∞
非球面データ
第９面
k=0.000
A4=-1.18299e-04,A6=6.14332e-07,A8=3.18339e-09,A10=-1.35221e-11
第１０面
k=0.000
A4=-1.38000e-04,A6=1.09702e-06
第１６面
k=0.000
A4=-1.34805e-04,A6=-1.04724e-06,A8=-1.69878e-08
第１７面
k=0.000
A4=6.91534e-05,A6=-6.60048e-07,A8=3.74372e-09
第２６面
k=0.000
A4=5.10852e-05,A6=-5.96630e-06,A8=1.86240e-07
第２７面
k=0.000
A4=2.84587e-04,A6=-1.20457e-05,A8=3.77138e-07,A10=-2.28550e-09
ズームデータ
変倍比        55.33
広角     中間２     望遠     中間１    中間３
ｆ             4.75     35.08    262.81     12.88     95.55
ＦＮＯ．       3.43      5.08      6.63      3.96      5.71
画角２ω      82.67     12.30      1.67     32.66      4.58
ＩＨ           3.64      3.91      3.91      3.91      3.91
ＦＢ(in air)   7.36      5.40      3.06      6.55      3.12
全長(in air)  95.32    123.35    144.70    105.36    138.20
d6           0.80     43.57     69.73     21.66     60.55
d14         41.85     13.69      1.60     23.53      8.57
d23          3.78     15.78     13.55      8.40     19.23
d25          4.03      7.41     19.25      7.72      9.21
d27          5.77      3.81      1.45      4.98      1.55
各群焦点距離
f1=90.65     f2=-9.59     f3=16.32    f4=-20.63     f5=17.09
【０１７３】
数値実施例６
単位ｍｍ
面データ
面番号       r           d        nd        νd
物面        ∞          ∞
1        127.380      1.40     1.83481    42.73
2         48.580      0.01     1.56384    60.67
3         48.580      6.34     1.49700    81.54
4       -289.655      0.25
5         45.923      5.24     1.49700    81.54
6        379.192      可変
7         87.031      0.80     1.88300    40.76
8         10.488      4.69
9*       -17.936      0.80     1.74156    49.21
10*        48.262      0.64
11         23.670      2.79     1.92286    18.90
12        -56.408      0.01     1.56384    60.67
13        -56.408      0.75     1.83481    42.73
14         56.408      可変
15（絞り）  ∞         0.30
16*         9.997      3.00     1.58233    59.30
17*       -34.748      0.89
18         16.634      1.80     1.51633    64.14
19        157.604      0.01     1.56384    60.67
20        157.604      0.75     1.90366    31.32
21          9.199      1.50
22         19.201      1.90     1.49700    81.54
23        -25.214      可変
24        -28.386      0.80     1.51633    64.14
25         12.361      可変
26*        35.139      3.50     1.53071    55.69
27*       -10.639      可変
28          ∞         0.30     1.51633    64.14
29          ∞         0.53
30          ∞         0.50     1.51633    64.14
31          ∞         0.53
像面        ∞
非球面データ
第９面
k=0.000
A4=-3.12515e-07,A6=6.88464e-09
第１０面
k=0.000
A4=4.81090e-06,A6=3.07240e-07
第１６面
k=0.000
A4=-1.07188e-04,A6=-5.71821e-07,A8=-1.77164e-08
第１７面
k=0.000
A4=6.75659e-05,A6=-6.82365e-07,A8=-6.10270e-09
第２６面
k=0.000
A4=-1.10886e-04
第２７面
k=0.000
A4=1.80535e-04,A6=1.72193e-07
ズームデータ
変倍比        60.07
広角     中間２     望遠     中間１    中間３
ｆ             4.61     35.74    276.93     12.84     99.52
ＦＮＯ．       3.47      5.00      6.90      3.94      5.99
画角２ω      84.47     11.92      1.59     32.42      4.39
ＩＨ           3.64      3.91      3.91      3.91      3.91
ＦＢ(in air)   7.70      6.14      4.23      7.20      3.96
全長(in air)  96.05    124.70    150.23    101.05    142.16
d6           0.80     44.49     70.96     19.50     61.22
d14         41.09     11.96      2.00     20.03      7.79
d23          5.49     19.65     18.38     12.13     22.96
d25          2.81      4.30     16.50      4.03      8.07
d27          6.11      4.55      2.64      5.62      2.37
各群焦点距離
f1=91.95     f2=-8.74     f3=16.21    f4=-16.57     f5=15.81
【０１７４】
以上の実施例１〜６の収差図を、それぞれ図７〜図１２に示す。いずれも、無限遠物体合焦時の収差図である。また、各図中、”ＦＩＹ”は最大像高を示す。
【０１７５】
これらの収差図において、（ａ）、（ｂ）、（ｃ）、（ｄ）は、それぞれ、広角端における球面収差（ＳＡ）、非点収差（ＡＳ）、歪曲収差（ＤＴ）、倍率色収差（ＣＣ）を示す。
【０１７６】
また、（ｅ）、（ｆ）、（ｇ）、（ｈ）は、それぞれ、中間焦点距離状態２における球面収差（ＳＡ）、非点収差（ＡＳ）、歪曲収差（ＤＴ）、倍率色収差（ＣＣ）を示す。
【０１７７】
また、（ｉ）、（ｊ）、（ｋ）、（ｌ）は、それぞれ、望遠端における球面収差（ＳＡ）、非点収差（ＡＳ）、歪曲収差（ＤＴ）、倍率色収差（ＣＣ）を示す。
【０１７８】
なお、収差図におけるＦＩＹの値は、数値実施例におけるＩＨの値よりも大きくなっている。これは、ＦＩＹの値が、手ぶれが生じたときの像高であるのに対して、ＩＨの値は手ぶれが生じていないときの像高であることによる。
【０１７９】
手ぶれが生じていない場合、光学像は撮像素子（撮像面）の所定の領域に形成される。一方、手ぶれが生じると、光学像は所定の領域を中心して様々な方向へずれる。そのため、光学像が形成される領域（像高）は、手ぶれが生じていない場合（ＩＨ）に比べて、手ぶれが生じている場合（ＦＩＹ）の方が広くなる。
【０１８０】
なお、手ぶれ補正を撮像素子の移動で行う場合、光学像がずれる領域の最大まで、光学系の収差が補正されているのが好ましい。このようなことから、収差図では、光学像がずれる領域の最大までの収差の様子を示している。
【０１８１】
次に、各実施例における条件式（１）〜（１１）の値を掲げる。
実施例１     実施例２     実施例３
(1)mg3t/mg3w              2.389        2.667        2.702
(2)mg5t/mg5w              1.499        1.389        1.39
(3)f5/ft                  0.074        0.061        0.063
(4)f3/ft                  0.063        0.063        0.063
(5)(1-mg3t)×mg4t×mg5t   3.497        3.501        3.501
(6)νd1n                 42.73        42.73        42.73
(7)νd1p                 81.54        81.54        81.54
(8)θgF1n                 0.565        0.565        0.565
(9)f1/f1c                 0.124        0.121        0.117
(10)f1/ft                 0.346        0.340        0.346
(11)ft/fw                54.72        55.01        54.81
実施例４     実施例５     実施例６
(1)mg3t/mg3w              2.521        2.669        3.107
(2)mg5t/mg5w              1.857        1.491        1.458
(3)f5/ft                  0.060        0.065        0.057
(4)f3/ft                  0.065        0.062        0.059
(5)(1-mg3t)×mg4t×mg5t   3.500        3.507        3.923
(6)νd1n                 42.73        42.73        42.73
(7)νd1p                 81.54        81.54        81.54
(8)θgF1n                 0.565        0.565        0.565
(9)f1/f1c                 0.118        0.121        0.124
(10)f1/ft                 0.336        0.345        0.332
(11)ft/fw                55.09        55.33        60.07
【０１８２】
図１３は、電子撮像装置としてのコンパクトカメラの断面図である。図１３において、コンパクトカメラ１の鏡筒内には撮影光学系２が配置されている。また、ボディには、撮像素子面４、バックモニタ５が配置されている。なお、撮像素子としては、小型のＣＣＤ又はＣＭＯＳ等が用いられている。
【０１８３】
ここで、鏡筒にマウント部を設けて、撮影光学系２を一眼ミラーレスカメラのボディに対して着脱可能とすることもできる。このマウント部は、例えばスクリュータイプやバヨネットタイプ等のマウントを用いる。
【０１８４】
そして、このような構成のコンパクトカメラ１の撮影光学系２として、例えば上記実施例１〜６に示した本発明のズームレンズが用いられる。
【０１８５】
図１４、図１５は、本発明に係る撮像装置の構成の概念図を示す。図１４は撮像装置としてのデジタルカメラ４０の外観を示す前方斜視図、図１５は同後方斜視図である。このデジタルカメラ４０の撮影光学系４１に、本発明のズームレンズが用いられている。
【０１８６】
この実施形態のデジタルカメラ４０は、撮影用光路４２上に位置する撮影光学系４１、シャッターボタン４５、液晶表示モニター４７等を含み、デジタルカメラ４０の上部に配置されたシャッターボタン４５を押圧すると、それに連動して撮影光学系４１、例えば実施例１のズームレンズを通して撮影が行われる。撮影光学系４１によって形成された物体像が、結像面近傍に設けられた撮像素子（光電変換面）上に形成される。この撮像素子で受光された物体像は、処理手段によって電子画像としてカメラ背面に設けられた液晶表示モニター４７に表示される。また、撮影された電子画像は記憶手段に記録することができる。
【０１８７】
図１６は、デジタルカメラ４０の主要部の内部回路を示すブロック図である。なお、以下の説明では、前述した処理手段は、例えばＣＤＳ／ＡＤＣ部２４、一時記憶メモリ１７、画像処理部１８等で構成され、記憶手段は、記憶媒体部等で構成される。
【０１８８】
図１６に示すように、デジタルカメラ４０は、操作部１２と、この操作部１２に接続された制御部１３と、この制御部１３の制御信号出力ポートにバス１４及び１５を介して接続された撮像駆動回路１６並びに一時記憶メモリ１７、画像処理部１８、記憶媒体部１９、表示部２０、及び設定情報記憶メモリ部２１を備えている。
【０１８９】
上記の一時記憶メモリ１７、画像処理部１８、記憶媒体部１９、表示部２０、及び設定情報記憶メモリ部２１は、バス２２を介して相互にデータの入力、出力が可能とされている。また、撮像駆動回路１６には、ＣＣＤ４９とＣＤＳ／ＡＤＣ部２４が接続されている。
【０１９０】
操作部１２は、各種の入力ボタンやスイッチを備え、これらを介して外部（カメラ使用者）から入力されるイベント情報を制御部１３に通知する。制御部１３は、例えばＣＰＵなどからなる中央演算処理装置であって、不図示のプログラムメモリを内蔵し、プログラムメモリに格納されているプログラムにしたがって、デジタルカメラ４０全体を制御する。
【０１９１】
ＣＣＤ４９は、撮像駆動回路１６により駆動制御され、撮影光学系４１を介して形成された物体像の画素ごとの光量を電気信号に変換し、ＣＤＳ／ＡＤＣ部２４に出力する撮像素子である。
【０１９２】
ＣＤＳ／ＡＤＣ部２４は、ＣＣＤ４９から入力する電気信号を増幅し、かつ、アナログ／デジタル変換を行って、この増幅とデジタル変換を行っただけの映像生データ（ベイヤーデータ、以下ＲＡＷデータという。）を一時記憶メモリ１７に出力する回路である。
【０１９３】
一時記憶メモリ１７は、例えばＳＤＲＡＭ等からなるバッファであり、ＣＤＳ／ＡＤＣ部２４から出力されるＲＡＷデータを一時的に記憶するメモリ装置である。画像処理部１８は、一時記憶メモリ１７に記憶されたＲＡＷデータ又は記憶媒体部１９に記憶されているＲＡＷデータを読み出して、制御部１３にて指定された画質パラメータに基づいて歪曲収差補正を含む各種画像処理を電気的に行う回路である。
【０１９４】
記憶媒体部１９は、例えばフラッシュメモリ等からなるカード型又はスティック型の記録媒体を着脱自在に装着して、これらのフラッシュメモリに、一時記憶メモリ１７から転送されるＲＡＷデータや画像処理部１８で画像処理された画像データを記録して保持する。
【０１９５】
表示部２０は、液晶表示モニター４７などにて構成され、撮影したＲＡＷデータ、画像データや操作メニューなどを表示する。設定情報記憶メモリ部２１には、予め各種の画質パラメータが格納されているＲＯＭ部と、操作部１２の入力操作によってＲＯＭ部から読み出された画質パラメータを記憶するＲＡＭ部が備えられている。
【０１９６】
このように構成されたデジタルカメラ４０は、撮影光学系４１として本発明のズームレンズを採用することで、光学系の小型化と高い変倍比の確保に有利なズームレンズを備えた撮像装置とすることが可能となる。また、光学系の小型化と高い変倍比の確保に有利で、且つ、望遠側で生じやすい手ぶれの影響を抑えやすいズームレンズを備えた撮像装置とすることが可能となる。また、光学系の小型化と高い変倍比の確保に有利で、且つ、望遠側で生じやすい色収差の発生を抑えやすいズームレンズを備えた撮像装置とすることが可能となる。
【産業上の利用可能性】
【０１９７】
以上のように、本発明は、光学系の小型化と高い変倍比の確保に有利なズームレンズ及びそれを有する撮像装置に適している。また、本発明は、光学系の小型化と高い変倍比の確保に有利で、且つ、望遠側で生じやすい手ぶれの影響を抑えやすいズームレンズ及びそれを有する撮像装置に適している。また、本発明は、光学系の小型化と高い変倍比の確保に有利で、且つ、望遠側で生じやすい色収差の発生を抑えやすいズームレンズ及びそれを有する撮像装置に適している。
【符号の説明】
【０１９８】
Ｇ１…第１レンズ群
Ｇ２…第２レンズ群
Ｇ３…第３レンズ群
Ｇ４…第４レンズ群
Ｇ５…第５レンズ群
Ｓ…明るさ（開口）絞り
Ｃ…カバーガラス
Ｆ…平行平板
Ｉ…像面
１…コンパクトカメラ
２…撮像レンズ系
４…撮像素子面
５…バックモニタ
１２…操作部
１３…制御部
１４、１５…バス
１６…撮像駆動回路
１７…一時記憶メモリ
１８…画像処理部
１９…記憶媒体部
２０…表示部
２１…設定情報記憶メモリ部
２２…バス
２４…ＣＤＳ／ＡＤＣ部
４０…デジタルカメラ
４１…撮影光学系
４２…撮影用光路
４５…シャッターボタン
４７…液晶表示モニター
４９…ＣＣＤ
【図１】
2015001550.tif 000003
【図２】
2015001550.tif 000004
【図３】
2015001550.tif 000005
【図４】
2015001550.tif 000006
【図５】
2015001550.tif 000007
【図６】
2015001550.tif 000008
【図７】
2015001550.tif 000009
【図８】
2015001550.tif 000010
【図９】
2015001550.tif 000011
【図１０】
2015001550.tif 000012
【図１１】
2015001550.tif 000013
【図１２】
2015001550.tif 000014
【図１３】
2015001550.tif 000015
【図１４】
2015001550.tif 000016
【図１５】
2015001550.tif 000017
【図１６】
2015001550.tif 000018